(57)【要約】      （修正有）【課題】取り付け工事が不要で作動する、振動を受けると、発光ダイオードが自動的に点灯して一定時間点灯した後に、自動的に消灯する電灯装置を提供すること、振動センサだけで、振動を受けると、ブザーが自動的に鳴って一定時間鳴った後に、自動的に鳴ることを停止するブザー装置を提供する。【解決手段】電灯装置１は正極接続端子Ｔ１と負極接続端子Ｔ２とマイコンＭＣと振動センサＳと発光ダイオードＤを備え、ブザー装置は正極接続端子と負極接続端子とマイコンと振動センサとブザーと電解コンデンサとバイポーラNPNトランジスタを備えている。【選択図】図１
2014075291.tif 000002
【特許請求の範囲】
【請求項１】
振動を受けると、発光ダイオードが自動的に点灯して一定時間点灯した後に、自動的に消灯する電灯装置であって、
正極接続端子と、負極接続端子と、マイコンと、振動センサと、前記発光ダイオードと、を備え、
前記マイコンは、正極接続端子接続用端子と負極接続端子接続用端子と振動センサ接続用端子と発光ダイオード接続用端子を有し、
前記振動センサは、振動センサ第一端子と振動センサ第二端子を有し、
前記発光ダイオードは、発光ダイオードアノード端子と発光ダイオードカソード端子を有し、
前記正極接続端子は、前記正極接続端子接続用端子、および、前記振動センサ第一端子と接続されており、
前記振動センサ第二端子は、前記振動センサ接続用端子、および、前記負極接続端子と接続されており、
前記発光ダイオードアノード端子は、前記発光ダイオード接続用端子と接続されており、
前記発光ダイオードカソード端子は、前記負極接続端子と接続されており、
前記負極接続端子接続用端子は、前記負極接続端子と接続されていることを特徴とする電灯装置。
【請求項２】
前記発光ダイオードは、第一発光ダイオードであり、さらに、第二発光ダイオードと、を備え、
前記発光ダイオード接続用端子は、第一発光ダイオード接続用端子であり、前記マイコンは、さらに、第二発光ダイオード接続用端子を有し、
前記発光ダイオードアノード端子は、第一発光ダイオードアノード端子であり、前記発光ダイオードカソード端子は、第一発光ダイオードカソード端子であり、
前記第二発光ダイオードは、第二発光ダイオードアノード端子と第二発光ダイオードカソード端子を有し、
前記第二発光ダイオードアノード端子は、前記第二発光ダイオード接続用端子と接続されており、
前記第二発光ダイオードカソード端子は、前記負極接続端子と接続されていることを特徴にする請求項１に記載の電灯装置。
【請求項３】
振動を受けると、ブザーが自動的に鳴って一定時間鳴った後に、自動的に鳴ることを停止するブザー装置であって、
前記正極接続端子と、前記負極接続端子と、前記マイコンと、前記振動センサと、前記ブザーと、電解コンデンサと、バイポーラNPNトランジスタと、を備え、
前記マイコンは、前記正極接続端子接続用端子と前記負極接続端子接続用端子と前記振動センサ接続用端子とバイポーラNPNトランジスタ接続用端子を有し、
前記ブザーは、ブザー第一端子とブザー第二端子を有し、
前記電解コンデンサは、電解コンデンサ正極端子と電解コンデンサ負極端子を有し、
前記バイポーラNPNトランジスタは、ベース端子とコレクタ端子とエミッタ端子を有し、
前記正極接続端子は、前記正極接続端子接続用端子、前記振動センサ第一端子、前記ブザー第一端子、および、前記電解コンデンサ正極端子と接続されており、
前記振動センサ第二端子は、前記振動センサ接続用端子、および、前記負極接続端子と接続されており、
前記ベース端子は、前記バイポーラNPNトランジスタ接続用端子と接続されており、
前記コレクタ端子は、前記ブザー第二端子、および、前記電解コンデンサ負極端子と接続されており、
前記エミッタ端子は、前記負極接続端子と接続されており、
前記負極接続端子接続用端子は、前記負極接続端子と接続されていることを特徴とするブザー装置。
【請求項４】
振動を受けると、発光ダイオードが自動的に点灯して一定時間点灯した後に、自動的に消灯する電灯装置、および、振動を受けると、ブザーが自動的に鳴って一定時間鳴った後に、自動的に鳴ることを停止するブザー装置を備えた装置であって、
前記正極接続端子と、前記負極接続端子と、前記マイコンと、前記振動センサと、前記発光ダイオードと、前記ブザーと、前記電解コンデンサと、前記バイポーラNPNトランジスタと、を備え、
前記マイコンは、前記正極接続端子接続用端子と前記負極接続端子接続用端子と前記振動センサ接続用端子と前記発光ダイオード接続用端子と前記バイポーラNPNトランジスタ接続用端子を有し、
前記正極接続端子は、前記正極接続端子接続用端子、前記振動センサ第一端子、前記ブザー第一端子、および、前記電解コンデンサ正極端子と接続されており、
前記振動センサ第二端子は、前記振動センサ接続用端子、および、前記負極接続端子と接続されており、
前記発光ダイオードアノード端子は、前記発光ダイオード接続用端子と接続されており、
前記発光ダイオードカソード端子は、前記負極接続端子と接続されており、
前記ベース端子は、前記バイポーラNPNトランジスタ接続用端子と接続されており、
前記コレクタ端子は、前記ブザー第二端子、および、前記電解コンデンサ負極端子と接続されており、
前記エミッタ端子は、前記負極接続端子と接続されており、
前記負極接続端子接続用端子は、前記負極接続端子と接続されていることを特徴とする電灯装置、および、ブザー装置を備えた装置。
【請求項５】
前記発光ダイオードは、前記第一発光ダイオードであり、さらに、前記第二発光ダイオードと、を備え、
前記発光ダイオード接続用端子は、前記第一発光ダイオード接続用端子であり、前記マイコンは、さらに、前記第二発光ダイオード接続用端子を有し、
前記発光ダイオードアノード端子は、前記第一発光ダイオードアノード端子であり、前記発光ダイオードカソード端子は、前記第一発光ダイオードカソード端子であり、
前記第二発光ダイオードアノード端子は、前記第二発光ダイオード接続用端子と接続されており、
前記第二発光ダイオードカソード端子は、前記負極接続端子と接続されていることを特徴にする請求項４に記載の電灯装置、および、ブザー装置を備えた装置。
【発明の詳細な説明】
【技術分野】
【０００１】
本発明は、電灯装置、ブザー装置、あるいは、電灯装置、および、ブザー装置を備えた装置に関する。
【背景技術】
【０００２】
電灯装置の中には、発光ダイオードが自動的に点灯して一定時間点灯した後に、自動的に消灯するものがある。
ブザー装置の中にも、ブザーが自動的に鳴って一定時間鳴った後に、自動的に鳴ることを停止するものがある。
【０００３】
背景技術には、特許文献１、特許文献２がある。
【０００４】
特許文献１に示すトイレ用電灯は、自動的に点灯して一定時間点灯した後に、自動的に消灯することができるが、特許文献１に示すトイレ用電灯を自動的に点灯して一定時間点灯した後に、自動的に消灯するためには、オルタネイトスイッチ装置をトイレの扉に設置しなければならない。
【０００５】
特許文献２に示す多機能防犯ブザーは、取り付け工事が不要で、床、ドア、あるいは、窓等に置いて、床、ドア、あるいは、窓等が振動すればブザーを駆動させることができるが、特許文献２に示す多機能防犯ブザーは、加速度センサ、赤外線センサなどの２以上のセンサがないとブザーの駆動を制御することはできない。
【特許文献１】特許公開２００５−３０２４８０公報
【特許文献２】特許公開２００８−１９８１６９公報
【発明の開示】
【発明が解決しようとする課題】
【０００６】
本発明は、取り付け工事が不要で作動する、振動を受けると、発光ダイオードが自動的に点灯して一定時間点灯した後に、自動的に消灯する電灯装置を提供すること、振動センサだけで、振動を受けると、ブザーが自動的に鳴って一定時間鳴った後に、自動的に鳴ることを停止するブザー装置を提供すること、あるいは、取り付け工事が不要で作動する、振動を受けると、発光ダイオードが自動的に点灯して一定時間点灯した後に、自動的に消灯する電灯装置、および、振動センサだけで、振動を受けると、ブザーが自動的に鳴って一定時間鳴った後に、自動的に鳴ることを停止するブザー装置を備えた装置を提供することを目的とする。
【課題を解決するための手段】
【０００７】
上記課題を解決するために、本発明の電灯装置は、正極接続端子と負極接続端子とマイコンと振動センサと発光ダイオードを備えている。
マイコンは、正極接続端子接続用端子と負極接続端子接続用端子と振動センサ接続用端子と発光ダイオード接続用端子を有している。
振動センサは、振動センサ第一端子と振動センサ第二端子を有している。
発光ダイオードは、発光ダイオードアノード端子と発光ダイオードカソード端子を有している。
正極接続端子は、正極接続端子接続用端子、および、振動センサ第一端子と接続されている。
振動センサ第二端子は、振動センサ接続用端子、および、負極接続端子と接続されている。
発光ダイオードアノード端子は、発光ダイオード接続用端子と接続されている。
発光ダイオードカソード端子は、負極接続端子と接続されている。
負極接続端子接続用端子は、負極接続端子と接続されている。
マイコンとは、マイクロコンピュータの略称である。
【０００８】
上記課題を解決するために、本発明のブザー装置は、正極接続端子と負極接続端子とマイコンと振動センサとブザーと電解コンデンサとバイポーラNPNトランジスタを備えている。
マイコンは、正極接続端子接続用端子と負極接続端子接続用端子と振動センサ接続用端子とバイポーラNPNトランジスタ接続用端子を有している。
ブザーは、ブザー第一端子とブザー第二端子を有している。
電解コンデンサは、電解コンデンサ正極端子と電解コンデンサ負極端子を有している。
バイポーラNPNトランジスタは、ベース端子とコレクタ端子とエミッタ端子を有している。
正極接続端子は、正極接続端子接続用端子、振動センサ第一端子、ブザー第一端子、および、電解コンデンサ正極端子と接続されている。
振動センサ第二端子は、振動センサ接続用端子、および、負極接続端子と接続されている。
ベース端子は、バイポーラNPNトランジスタ接続用端子と接続されている。
コレクタ端子は、ブザー第二端子、および、電解コンデンサ負極端子と接続されている。
エミッタ端子は、負極接続端子と接続されている。
負極接続端子接続用端子は、負極接続端子と接続されている。
【０００９】
上記課題を解決するために、本発明の電灯装置、および、ブザー装置を備えた装置は、正極接続端子と負極接続端子とマイコンと振動センサと発光ダイオードとブザーと電解コンデンサとバイポーラNPNトランジスタを備えている。
マイコンは、正極接続端子接続用端子と負極接続端子接続用端子と振動センサ接続用端子と発光ダイオード接続用端子とバイポーラNPNトランジスタ接続用端子を有している。
正極接続端子は、正極接続端子接続用端子、振動センサ第一端子、ブザー第一端子、および、電解コンデンサ正極端子と接続されている。
振動センサ第二端子は、振動センサ接続用端子、および、負極接続端子と接続されている。
発光ダイオードアノード端子は、発光ダイオード接続用端子と接続されている。
発光ダイオードカソード端子は、負極接続端子と接続されている。
ベース端子は、バイポーラNPNトランジスタ接続用端子と接続されている。
コレクタ端子は、ブザー第二端子、および、電解コンデンサ負極端子と接続されている。
エミッタ端子は、負極接続端子と接続されている。
負極接続端子接続用端子は、負極接続端子と接続されている。
【００１０】
特許文献１に示すトイレ用電灯は、自動的に点灯して一定時間点灯した後に、自動的に消灯することができるが、特許文献１に示すトイレ用電灯を自動的に点灯して一定時間点灯した後に、自動的に消灯するためには、オルタネイトスイッチ装置をトイレの扉に設置しなければならない。
【００１１】
本発明の電灯装置は、振動センサが振動を感知すると、振動センサ第一端子と振動センサ第二端子の間が通電可能になって、振動センサ第二端子から振動センサ接続用端子に電流が流れる。
振動センサ接続用端子に電流が流れると、マイコンは、発光ダイオード接続用端子から電流を送出するので、発光ダイオード接続用端子から発光ダイオードアノード端子に電流が流れて、発光ダイオードは、自動的に点灯する。
マイコンが、発光ダイオード接続用端子から電流を送出停止すれば、発光ダイオード接続用端子から発光ダイオードアノード端子に電流が流れなくなるので、発光ダイオードは、自動的に消灯する。
このため、本発明の電灯装置は、扉や壁などにスイッチを設置しなくても、発光ダイオードを自動的に点灯して一定時間点灯した後に、自動的に消灯させることができる。
【００１２】
本発明の電灯装置、および、ブザー装置を備えた装置は、振動センサが振動を感知すると、振動センサ第一端子と振動センサ第二端子の間が通電可能になるので、振動センサ第二端子から振動センサ接続用端子に電流が流れる。
振動センサ接続用端子に電流が流れると、マイコンは、発光ダイオード接続用端子から電流を送出するので、発光ダイオード接続用端子から発光ダイオードアノード端子に電流が流れて、発光ダイオードは、自動的に点灯する。
マイコンが、発光ダイオード接続用端子から電流を送出停止すれば、発光ダイオード接続用端子から発光ダイオードアノード端子に電流が流れなくなるので、発光ダイオードは、自動的に消灯する。
このため、本発明の電灯装置、および、ブザー装置を備えた装置は、扉や壁などにスイッチを設置しなくても、発光ダイオードを自動的に点灯して一定時間点灯した後に、自動的に消灯させることができる。
【００１３】
特許文献２に示す多機能防犯ブザーは、取り付け工事が不要で、床、ドア、あるいは、窓等に置いて、床、ドア、あるいは、窓等が振動すればブザーを駆動させることができるが、特許文献２に示す多機能防犯ブザーは、加速度センサ、赤外線センサなどの２以上のセンサがないとブザーの駆動を制御することはできない。
【００１４】
本発明のブザー装置は、振動センサが振動を感知すると、振動センサ第一端子と振動センサ第二端子の間が通電可能になるので、振動センサ第二端子から振動センサ接続用端子に電流が流れる。                                       
振動センサ接続用端子に電流が流れると、マイコンは、バイポーラNPNトランジスタ接続用端子から電流を送出するので、バイポーラNPNトランジスタ接続用端子からベース端子に電流が流れることによって、正極接続端子とコレクタ端子の間は通電可能になって、正極接続端子からコレクタ端子に電流が流れるので、ブザーは、自動的に鳴る。
マイコンが、バイポーラNPNトランジスタ接続用端子から電流を送出停止すれば、バイポーラNPNトランジスタ接続用端子からベース端子に電流が流れなくなることによって、正極接続端子とコレクタ端子の間は通電不能になって、正極接続端子からコレクタ端子に電流は流れなくなるので、ブザーは、自動的に鳴ることを停止する。
このため、本発明のブザー装置は、振動センサだけで、ブザーを自動的に鳴らして一定時間鳴らした後に、自動的に鳴ることを停止させることができる。
【００１５】
また、本発明の電灯装置、および、ブザー装置を備えた装置は、振動センサが振動を感知すると、振動センサ第一端子と振動センサ第二端子の間が通電可能になるので、振動センサ第二端子から振動センサ接続用端子に電流が流れる。
振動センサ接続用端子に電流が流れると、マイコンは、バイポーラNPNトランジスタ接続用端子から電流を送出するので、バイポーラNPNトランジスタ接続用端子からベース端子に電流が流れることによって、正極接続端子とコレクタ端子の間は通電可能になって、正極接続端子からコレクタ端子に電流が流れるので、ブザーは、自動的に鳴る。
マイコンが、バイポーラNPNトランジスタ接続用端子から電流を送出停止すれば、バイポーラNPNトランジスタ接続用端子からベース端子に電流が流れなくなることによって、正極接続端子とコレクタ端子の間は通電不能になって、正極接続端子からコレクタ端子に電流は流れなくなるので、ブザーは、自動的に鳴ることを停止する。
このため、本発明の電灯装置、および、ブザー装置を備えた装置は、振動センサだけで、ブザーを自動的に鳴らして一定時間鳴らした後に、自動的に鳴ることを停止させることができる。
【発明の効果】
【００１６】
本発明の電灯装置は、扉や壁などにスイッチを設置しなくても、発光ダイオードを自動的に点灯して一定時間点灯した後に、自動的に消灯させることができる。
本発明のブザー装置は、振動センサだけで、ブザーを自動的に鳴らして一定時間鳴らした後に、自動的に鳴ることを停止させることができる。
本発明の電灯装置、および、ブザー装置を備えた装置は、扉や壁などにスイッチを設置しなくても、発光ダイオードを自動的に点灯して一定時間点灯した後に、自動的に消灯させることができる。
また、本発明の電灯装置、および、ブザー装置を備えた装置は、振動センサだけで、ブザーを自動的に鳴らして一定時間鳴らした後に、自動的に鳴ることを停止させることができる。
【発明を実施するための最良の形態】
【００１７】
図面に基づいて発明を実施するための最良の形態を説明する。
【実施例１】
【００１８】
実施例１の電灯装置１は、図１に示すように、正極接続端子Ｔ１と負極接続端子Ｔ２とマイコンＭＣと振動センサＳと発光ダイオードＤを備えている。
【００１９】
マイコンＭＣは、図１に示すように、正極接続端子接続用端子Ｖｄｄと負極接続端子接続用端子Ｖｓｓと振動センサ接続用端子ＭＣＴ１と発光ダイオード接続用端子ＭＣＴ２を有している。
振動センサＳは、図１に示すように、振動センサ第一端子Ｓ１と振動センサ第二端子Ｓ２を有している。
発光ダイオードＤは、図１に示すように、発光ダイオードアノード端子Ｄａと発光ダイオードカソード端子Ｄｋを有している。
正極接続端子Ｔ１は、図１に示すように、正極接続端子接続用端子Ｖｄｄ、および、振動センサ第一端子Ｓ１と接続されている。
振動センサ第二端子Ｓ２は、図１に示すように、振動センサ接続用端子ＭＣＴ１、および、負極接続端子Ｔ２と接続されている。
発光ダイオードアノード端子Ｄａは、図１に示すように、発光ダイオード接続用端子ＭＣＴ２と接続されている。
発光ダイオードカソード端子Ｄｋは、図１に示すように、負極接続端子Ｔ２と接続されている。
負極接続端子接続用端子Ｖｓｓは、図１に示すように、負極接続端子Ｔ２と接続されている。
【００２０】
マイコンＭＣとは、マイクロコンピュータの略称である。
【００２１】
実施例１の電灯装置１の発光ダイオードＤを点灯させるためには、図２に示すように、実施例１の電灯装置１と電池ＢＴを接続しなければならない。
【００２２】
電池ＢＴは、図２に示すように、電池正極ＢＴ１と電池負極ＢＴ２を有する。
実施例１の電灯装置１と電池ＢＴを接続するためには、図２に示すように、電池正極ＢＴ１と正極接続端子Ｔ１を接続するとともに、電池負極ＢＴ２と負極接続端子Ｔ２を接続しなければならない。
実施例１の電灯装置１と電池ＢＴを接続すると、電池ＢＴから実施例１の電灯装置１には電流が供給される。
電池ＢＴは1.5Vの電池あってもよく、9.0Vの電池であってもよい。
電池ＢＴは1.5Vの電池である際には、1.5Vの電池の電池を２個以上用いて、3.0V、4.5V、6.0V、7.5V、9.0Vの電圧にして、実施例１の電灯装置１に接続してもよい。
また、実施例１の電灯装置１には、電池ＢＴではなくても、交流をダイオードなどで整流した3.0V、4.5V、6,0V、7.5V、9.0Vの直流電源を接続してもよい。
【００２３】
実施例１の電灯装置１のマイコンＭＣには、ありとあらゆるものがあるが、実施例１の電灯装置１のマイコンＭＣは、図３に示すように、PIC16F628Aであってもよい。
【００２４】
PIC16F628Aは、図４(ａ)に示すように、１番ピンから１８番ピンまで１８本のピンを有するマイコンＭＣである。
【００２５】
PIC16F628Aは、図４(ｂ)(ｃ)に示すように、PORTAとPORTBを有している。
PORTAは、図４(ｂ)に示すように、RA0、RA1、RA2、RA3、RA4、RA5、RA6、RA7の８つのビットで構成されており、図４(ｂ)に示すように、RA0、RA1、RA2、RA3、RA4、RA5、RA6、RA7は、それぞれ、PORTAの０ビット部、PORTAの１ビット部、PORTAの２ビット部、PORTAの３ビット部、PORTAの４ビット部、PORTAの５ビット部、PORTAの６ビット部、PORTAの７ビット部である。
PORTBは、図４(ｃ)に示すように、RB0、RB1、RB2、RB3、RB4、RB5、RB6、RB7の８つのビットで構成されており、図４(ｃ)に示すように、RB0、RB1、RB2、RB3、RB4、RB5、RB6、RB7は、それぞれ、PORTBの０ビット部、PORTBの１ビット部、PORTBの２ビット部、PORTBの３ビット部、PORTBの４ビット部、PORTBの５ビット部、PORTBの６ビット部、PORTBの７ビット部である。
【００２６】
Vddは、電源正極接続部である。
Vssは、電源負極接続部である。
【００２７】
図４(ａ)に示すように、PIC16F628Aの１番ピン、２番ピン、３番ピン、４番ピン、５番ピン、６番ピン、７番ピン、８番ピン、９番ピン、１０番ピン、１１番ピン、１２番ピン、１３番ピン、１４番ピン、１５番ピン、１６番ピン、１７番ピン、１８番ピンは、それぞれ、RA2、RA3、RA4、RA5、Vss、RB0、RB1、RB2、RB3、RB4、RB5、RB6、RB7、Vdd、RA6、RA7、RB0、RB1に対応するピンになっている。
【００２８】
図３では、PIC16F628Aの６番ピンが振動センサ接続用端子ＭＣＴ１になっている。
ただし、実施例１の電灯装置１のマイコンＭＣがPIC16F628Aである際には、PORTAを入力ポートにすれば、１６番ピン、１７番ピンを振動センサ接続用端子ＭＣＴ１にすることが可能であり、また、PORTBを入力ポートにすれば、７番ピン、８番ピン、９番ピン、１０番ピン、１２番ピンを振動センサ接続用端子ＭＣＴ１にすることが可能である。  実施例１の電灯装置１のマイコンＭＣがPIC16F628Aである際には、PORTAとPORTBは、入力ポートに設定していれば、出力ポートとして用いることもできる。
図３では、PIC16F628Aの１番ピンが発光ダイオード接続用端子ＭＣＴ２になっている。
ただし、実施例１の電灯装置１のマイコンＭＣがPIC16F628Aである際には、PIC16F628Aの２番ピン、７番ピン、９番ピン、１０番ピン、１２番ピン、１６番ピン、あるいは、１８番ピンを発光ダイオード接続用端子ＭＣＴ２にすることもできる。
PIC16F628Aは、図４(ａ)に示すように、１４番ピンがVddに対応するピンになっているので、実施例１の電灯装置１のマイコンＭＣがPIC16F628Aである際には、図３に示すように、１４番ピンが正極接続端子接続用端子Ｖｄｄになっている。
PIC16F628Aは、図４(ａ)に示すように、５番ピンがVssに対応するピンになっているので、実施例１の電灯装置１のマイコンＭＣがPIC16F628Aである際には、図３に示すように、５番ピンが負極接続端子接続用端子Ｖｓｓになっている。
【００２９】
実施例１の電灯装置１のマイコンＭＣがPIC16F628Aである際に、マイコンＭＣにインストールするためのプログラムには、ありとあらゆるものがある。
ただし、実施例１の電灯装置１のマイコンＭＣがPIC16F628Aである際に、マイコンＭＣにインストールするためのプログラムは、図５、あるいは、図６に記載されたプログラムであってもよい。
図５、あるいは、図６に記載されたプログラムは、Ｃ言語で記載されている。
図５、あるいは、図６に記載されたプログラムは、開発用ソフトウエアであるMPLAB  IDEを用いて開発しており、HI-TECH CをＣコンパイラに用いてコンパイルすることを目的にしたプログラムである。
【００３０】
図５に記載されたプログラムの説明をする。
図５の１行目の#include <pic.h> は、HI-TECH Cが使用するインクルードファイルである。
ただし、HI-TECH C以外のＣコンパイラを用いる際には、インクルードファイルは、
#include <htc.h>、あるいは、#include<16f628a.h>などにすることがあるので、HI-TECH C以外のＣコンパイラを用いる際には、インクルードファイルは、#include <htc.h> 、あるいは、#include <16f628a.h> などにしてもよい。
【００３１】
図５の３行目の__CONFIG(UNPROTECT&LVPDIS&BORDIS&MCLRDIS&PWRTEN&WD
TDIS&INTIO);は、コンフィグレーションビットである。
このコンフィグレーションビットには、UNPROTECTが記載されているのでプロテクト無し、LVPDISが記載されているので低電圧プログラム無効、BORDISが記載されているのでブラウンアウト無効、MCLRDISが記載されているのでＭＣＬＲ無効、PWRTENが記載されているのでパワーアップタイマ有効、WDTDISが記載されているのでウォッチドッグタイマ無効、INTIOが記載されているので内部クロックを使用することが指定されている。
ただし、HI-TECH C以外のＣコンパイラを用いる際には、コンフィグレーションビットは、#fuses NOPROTECT PUT WDT RCなどのように指定することがあるので、HI-TECH C以外のＣコンパイラを用いる際には、コンフィグレーションビットは、#fuses NOPROTECT PUT WDT RCなどのように指定してもよい。
【００３２】
図５の５行目の#define _XTAL_FREQ 4000000は、内部クロックの周波数を指定している。PIC16F628Aの内部クロックの周波数は4kHzなので、#define _XTAL_FREQの後には、4000000を記載している。
【００３３】
図５の７行目のmain(){は、メインルーチンの始まりを示している。
図５の９行目のPORTA=0;は、PORTAの初期化をしている。
図５の１０行目のPORTB=0;は、PORTBの初期化をしている。
図５の１１行目のTRISA=0;は、TRISAレジスタを０にすることで、PORTAを出力ポートに設定している。
図５の１２行目のTRISB=1;は、TRISBレジスタを１にすることで、PORTBを入力ポートに設定している。
図５の１４行目のCMCON=0x07;は、CMCONレジスタを設定しており、コンパレータを無効にしている。
図５の１５行目のGIE=1;は、割り込みを認める設定にしている。
【００３４】
図５の１７行目のint n;は、nをint型の数字として指定している。 
図５の１８行目のif(RB0==1){は、RB0に電流が流れると、図５の１８行目から２３行目までのプログラムを実行するように命令している。
図５の１９行目のfor(n=0;n<10;n++){は、図５の１９行目から２２行目までのプログラムを１０回実行することを命令している。
図５の２０行目のRA2=1;と図５の２１行目の__delay_ms(9000);は、RA2を９秒間電流を送出することを命令している。
図５の２２行目の}は、図５の１９行目から始まるfor(n=0;n<10;n++){の命令が終了することを示している。
図５の２３行目の}は、図５の１８行目から始まるif(RB0==1){の命令が終了することを示している。
図５の２４行目のreturn;は、値が帰されていることを示している。
図５の２５行目の}は、図５の７行目から始まるmain(){のメインルーチンが終了することを示している。
【００３５】
実施例１の電灯装置１のマイコンＭＣがPIC16F628Aである際に、マイコンＭＣに図５に示すプログラムをインストールすると、マイコンＭＣは、図５の１８行目から２３行目までのプログラムに基づいて、RB0に対応する６番ピンに電流が流れると、図５の１８行目から２３行目までのプログラムを実行する。
実施例１の電灯装置１のマイコンＭＣがPIC16F628Aである際に、マイコンＭＣに図５に示すプログラムをインストールすると、マイコンＭＣは、RB0に対応する６番ピンに電流が流れると、図５の１９行目から２２行目までのプログラムに基づいて、RA2に対応する１番ピンから９秒間電流を１０回送出するので、RA2に対応する１番ピンから９０秒間電流を送出する。
図３に示すように、RB0に対応する６番ピンは振動センサ接続用端子ＭＣＴ１になっており、RA2に対応する１番ピンは発光ダイオード接続用端子ＭＣＴ２になっている。
このため、実施例１の電灯装置１のマイコンＭＣがPIC16F628Aである際に、マイコンＭＣに図５に示すプログラムをインストールすると、マイコンＭＣは、振動センサＳが振動を感知することによって、振動センサ第二端子Ｓ２から振動センサ接続用端子ＭＣＴ１に電流が流れると、図５の１９行目から２２行目までのプログラムに基づいて、発光ダイオード接続用端子ＭＣＴ２から９０秒間電流を送出するので、発光ダイオード接続用端子ＭＣＴ２から発光ダイオードアノード端子Ｄａに９０秒間電流が流れて、発光ダイオードＤは９０秒間点灯する。
【００３６】
図３に示すように、実施例１の電灯装置１のマイコンＭＣがPIC16F628Aである際に、PIC16F628Aの６番ピンを振動センサ接続用端子ＭＣＴ１にするために、図５の１８行目には、if(RB0==1){とプログラムされている。
ただし、図５の１８行目に、if(RB0==1){ではなく、if(RB1==1){、if(RB2==1){、if(RB3==1){、if(RB4==1){、if(RB6==1){、if(RA7==1){、あるいは、if(RA0==1){、とプログラムすれば、７番ピン、８番ピン、９番ピン、１０番ピン、１２番ピン、１６番ピン、あるいは、１７番ピンを振動センサ接続用端子ＭＣＴ１にすることができる。    
【００３７】
図３に示すように、実施例１の電灯装置１のマイコンＭＣがPIC16F628Aである際に、PIC16F628Aの１番ピンを発光ダイオード接続用端子ＭＣＴ２にするために、図５の２０行目では、RA2=1;とプログラムされている。
ただし、図５の２０行目に、RA2=1;ではなく、RA3=1;、RB1=1;、RB3=1;、RB4=1;、RB6=1;、RA7=1;、あるいは、RA1=1;とプログラムすれば、実施例１の電灯装置１のマイコンＭＣがPIC16F628Aである際に、PIC16F628Aの２番ピン、７番ピン、９番ピン、１０番ピン、１２番ピン、１６番ピン、あるいは、１８番ピンを発光ダイオード接続用端子ＭＣＴ２にすることができる。
【００３８】
図６に記載されたプログラムの説明をする。
図６に記載されたプログラムについては、図５に記載されたプログラムと異なる部分のみ説明する。
図６の１９行目のfor(n=0;n<450;n++){は、図６の１９行目から２４行目までのプログラムを４５０回実行するように命令している。
図６の２０行目のRA2=1;と図６の２１行目の__delay_ms(100);は、RA2から0.1秒間電流を送出することを命令している。
図６の２２行目のRA2=0;と図６の２３行目の__delay_ms(100);は、RA2から0.1秒間電流を送出停止することを命令している。
図６の２４行目の}は、図６の１９行目から始まるfor(n=0;n<450;n++){の命令が終了することを示している。
【００３９】
実施例１の電灯装置１のマイコンＭＣがPIC16F628Aである際に、マイコンＭＣに図６に示すプログラムをインストールすると、マイコンＭＣは、図６の１８行目から２５行目までのプログラムに基づいて、RB0に対応する６番ピンに電流が流れると、図６の１８行目から２５行目までのプログラムを実行する。
実施例１の電灯装置１のマイコンＭＣがPIC16F628Aである際に、マイコンＭＣに図６に示すプログラムをインストールすると、マイコンＭＣは、RB0に対応する６番ピンに電流が流れると、図６の１９行目から２４行目までのプログラムに基づいて、RA2に対応する１番ピンから0.1秒間電流を送出するのと、RA2に対応する１番ピンから0.1秒間電流を送出停止するのを４５０回繰り返すので、RA2に対応する１番ピンは、0.2秒×４５０回＝９０秒間電流の送出と送出停止を繰り返す。
図３に示すように、RB0に対応する６番ピンは振動センサ接続用端子ＭＣＴ１になっており、RA2に対応する１番ピンは発光ダイオード接続用端子ＭＣＴ２になっている。
このため、実施例１の電灯装置１のマイコンＭＣがPIC16F628Aである際に、マイコンＭＣに図６に示すプログラムをインストールすると、マイコンＭＣは、振動センサＳが振動を感知することによって、振動センサ第二端子Ｓ２から振動センサ接続用端子ＭＣＴ１に電流が流れると、図６の１９行目から２４行目までのプログラムに基づいて、発光ダイオード接続用端子ＭＣＴ２から９０秒間電流の送出と送出停止を繰り返すので、発光ダイオード接続用端子ＭＣＴ２から発光ダイオードアノード端子Ｄａに９０秒間電流が流れたり、流れなかったりすることによって、発光ダイオードＤは９０秒間点灯と消灯を繰り返す。
【００４０】
図３に示すように、実施例１の電灯装置１のマイコンＭＣがPIC16F628Aである際に、PIC16F628Aの１番ピンを発光ダイオード接続用端子ＭＣＴ２にするために、図６の２０行目にRA2=1;、図６の２２行目にRA2=0;とプログラムされている。
ただし、図６の２０行目に、RA2=1;ではなく、RA3=1;、RB1=1;、RB3=1;、RB4=1;、RB6=1;、RA7=1;、あるいは、RA1=1;とプログラムして、図６の２２行目に、RA2=0;ではなく、RA3=0;、RB1=0;、RB3=0;、RB4=0;、RB6=0;、RA7=0;、あるいは、RA1=0;とプログラムすれば、
実施例１の電灯装置１のマイコンＭＣがPIC16F628Aである際に、PIC16F628Aの２番ピン、７番ピン、９番ピン、１０番ピン、１２番ピン、１６番ピン、あるいは、１８番ピンを発光ダイオード接続用端子ＭＣＴ２にすることができる。
【００４１】
実施例１の電灯１のマイコンＭＣには、PIC16F628A以外のいわゆるPICマイコンやいわゆるPICマイコン以外のマイコンＭＣを用いてもよい。
いわゆるPICマイコン以外のマイコンＭＣには、いわゆるAVRマイコンやいわゆるH8マイコンなどがある。
マイコンＭＣには、８ピン、１８ピン、２０ピン、２８ピン、４０ピンなどのピンの数のマイコンＭＣがあるが、実施例１の電灯１のマイコンＭＣは、いずれのピンの数のマイコンＭＣを用いてもよい。
【００４２】
図５、あるいは、図６に記載されたプログラムは、実施例１の電灯装置１のマイコンＭＣがPIC16F628Aである際に、マイコンＭＣにインストールして、実施例１の電灯装置１の効果を生じさせることを主な目的にしたプログラムではあるが、図５、あるいは、図６に記載されたプログラムは、実施例１の電灯装置１のマイコンＭＣがPIC16F628A以外のマイコンＭＣである際に、マイコンＭＣにインストールして、実施例１の電灯装置１の効果を生じさせることもできる。
ｎは、０から３２７６７の範囲内の数値にすることができるので、図５、あるいは、図６に記載されたプログラムは、n<の後ろの数値は、図５、あるいは、図６に記載されたプログラムに記載された数値ではなくても、０から３２７６７の範囲内の数値にすることができる。
__delay_ms()の()内の数値は、０から９９９９の範囲内の数値にすることができるので、図５、あるいは、図６に記載されたプログラムは、図５、あるいは、図６に記載されたプログラムに記載された数値ではなくても、__delay_ms()の()内の数値は、０から９９９９の範囲内の数値にすることができる。
【００４３】
実施例１の電灯装置１の振動センサＳには、ありとあらゆるものがあるが、実施例１の電灯装置１の振動センサＳには、金属球が内蔵された振動センサＳを用いてもよい。
また、金属球が内蔵された振動センサＳには、図７(ａ)(ｂ)(ｃ)(ｄ)(ｅ)に示すような、第一金属球内蔵振動センサＳａ、図８(ａ)(ｂ)(ｃ)(ｄ)(ｅ)に示すような、第二金属球内蔵振動センサＳｂがある。
第一金属球内蔵振動センサＳａと第二金属球内蔵振動センサＳｂは、それぞれ、図７(ａ)(ｂ)(ｃ)(ｄ)(ｅ)、図８(ａ)(ｂ)(ｃ)(ｄ)(ｅ)に示すように、箱体Ｓｃａ、金属球Ｓｃｂ、金属球内蔵振動センサ第一端子Ｓｃｃ、金属球内蔵振動センサ第二端子Ｓｃｄ、金属球内蔵振動センサ第一金属線Ｓｃｅ、金属球内蔵振動センサ第二金属線Ｓｃｆを備えている。
【００４４】
箱体Ｓｃａは、図７(ａ)(ｂ)、図８(ａ)(ｂ)に示すように、側面に箱体第一側面Ｓｃａａ、箱体第二側面Ｓｃａｂ、箱体第三側面Ｓｃａｃ、箱体第四側面Ｓｃａｄを有し、上面に箱体上面Ｓｃａｅを有し、下面に箱体下面Ｓｃｅｆを有し、箱体第一側面Ｓｃａａに箱体開口部Ｓｃａｇを有する。
金属球内蔵振動センサ第一端子Ｓｃｃ、金属球内蔵振動センサ第二端子Ｓｃｄは、それぞれ、図７(ｃ)(ｄ)(ｅ)、図８(ｃ)(ｄ)(ｅ)に示すように、箱体開口部Ｓｃａｇに嵌入して設置されている。
図７(ｃ)(ｄ)(ｅ)、図８(ｃ)(ｄ)(ｅ)に示すように、金属球内蔵振動センサ第一金属線Ｓｃｅは、金属球内蔵振動センサ第一端子Ｓｃｃから箱体Ｓｃａの内部に向けて、金属球内蔵振動センサ第一端子Ｓｃｃから延出して略直線状に形成されており、金属球内蔵振動センサ第二金属線Ｓｃｆは、金属球内蔵振動センサ第二端子Ｓｃｄから箱体Ｓｃａの内部に向けて、金属球内蔵振動センサ第二端子Ｓｃｄから延出して略直線状に形成されている。
金属球内蔵振動センサ第一端子Ｓｃｃ、金属球内蔵振動センサ第二端子Ｓｃｄ、金属球内蔵振動センサ第一金属線Ｓｃｅ、金属球内蔵振動センサ第二金属線Ｓｃｆは、金属で形成されている。
金属には、鉄、アルミニウム、ステンレスなどがある。
【００４５】
金属球Ｓｃｂは、図７(ｃ)(ｄ)(ｅ)、図８(ｃ)(ｄ)(ｅ)に示すように、金属で形成されているとともに、略球形の形状を有している。
また、金属球Ｓｃｂは、図７(ｃ)(ｄ)(ｅ)、図８(ｃ)(ｄ)(ｅ)に示すように、箱体Ｓｃａの内部に内蔵されており、金属球内蔵振動センサ第二金属線Ｓｃｆに接触している。
【００４６】
第一金属球内蔵振動センサＳａ、第二金属球内蔵振動センサＳｂは、それぞれ、箱体Ｓｃａの長軸方向の振動を感知すると、金属球Ｓｃｂが、金属球内蔵振動センサ第二金属線Ｓｃｆに接触しながら動いて、図７(ｄ)、図８(ｄ)に示すように、金属球内蔵振動センサ第一金属線Ｓｃｅに接触するので、金属球内蔵振動センサ第一金属線Ｓｃｅと金属球内蔵振動センサ第二金属線Ｓｃｆの間は通電可能になる。
金属球内蔵振動センサ第一金属線Ｓｃｅと金属球内蔵振動センサ第二金属線Ｓｃｆの間が通電可能になると、金属球内蔵振動センサ第一端子Ｓｃｃと金属球内蔵振動センサ第二端子Ｓｃｄの間は、通電可能になって、振動センサ接続用端子ＭＣＴ１に電流が流れる。
振動センサ接続用端子ＭＣＴ１に電流が流れると、マイコンＭＣは、発光ダイオード接続用端子ＭＣＴ２から電流を送出するので、発光ダイオード接続用端子ＭＣＴ２から発光ダイオードアノード端子Ｄａに電流が流れて、発光ダイオードＤは、自動的に点灯する。
【００４７】
第一金属球内蔵振動センサＳａ、第二金属球内蔵振動センサＳｂは、それぞれ、箱体Ｓｃａの長軸方向の振動を感知しなくなると、金属球Ｓｃｂは、図７(ｅ)、図８(ｅ)に示すように、金属球内蔵振動センサ第一金属線Ｓｃｅには接触しなくなるので、金属球内蔵振動センサ第一金属線Ｓｃｅと金属球内蔵振動センサ第二金属線Ｓｃｆの間は通電不能になる。
【００４８】
マイコンＭＣは、発光ダイオード接続用端子ＭＣＴ２から電流を送出停止すると、発光ダイオード接続用端子ＭＣＴ２から発光ダイオードアノード端子Ｄａには電流が流れなくなるので、発光ダイオードＤは、自動的に消灯する。
【００４９】
第一金属球内蔵振動センサＳａ、第二金属球内蔵振動センサＳｂは、それぞれ、箱体Ｓｃａの長軸方向を水平線と平行にして、実施例１の電灯装置１に設置すると、振動を感知しなくても、金属球Ｓｃｂが、金属球内蔵振動センサ第一金属線Ｓｃｅに接触するために、金属球内蔵振動センサ第一端子Ｓｃｃと金属球内蔵振動センサ第二端子Ｓｃｄの間は通電可能になることがある。
【００５０】
第一金属球内蔵振動センサＳａは、実施例１の電灯装置１に設置した際に、振動を感知しなくても、金属球内蔵振動センサ第一端子Ｓｃｃと金属球内蔵振動センサ第二端子Ｓｃｄの間が通電可能になることを防止するためには、第一金属球内蔵振動センサＳａは、箱体第二側面Ｓｃａｂ、あるいは、箱体第四側面Ｓｃａｄを上にして、図９(ａ)に示すように、箱体Ｓｃａの長軸方向を水平線からの角度θを−５度から−１５度ぐらいにして、実施例１の電灯装置１に設置すればよい。
図９(ａ)では、第一金属球内蔵振動センサＳａは、箱体第四側面Ｓｃａｄを上にして、実施例１の電灯装置１に設置しているが、第一金属球内蔵振動センサＳａは、箱体第二側面Ｓｃａｂを上にして、実施例１の電灯装置１に設置してもよい。
【００５１】
第二金属球内蔵振動センサＳｂは、実施例１の電灯装置１に設置した際に、振動を感知しなくても、金属球内蔵振動センサ第一端子Ｓｃｃと金属球内蔵振動センサ第二端子Ｓｃｄの間が通電可能になることを防止するためには、第二金属球内蔵振動センサＳｂは、図９(ｂ)に示すように、箱体上面Ｓｃａｅを上にして、箱体Ｓｃａの長軸方向を水平線からの角度θを−５度から−１５度ぐらいにして、実施例１の電灯装置１に設置すればよい。
【００５２】
実施例１の電灯装置１には、第一金属球内蔵振動センサＳａ、あるいは、第二金属球内蔵振動センサＳｂのうちのいずれか一方を設置すれば、実施例１の電灯装置１に設置された、第一金属球内蔵振動センサＳａ、あるいは、第二金属球内蔵振動センサＳｂのうちのいずれか一方は、箱体Ｓｃａの長軸方向の振動を感知すると、金属球内蔵振動センサ第一端子Ｓｃｃと金属球内蔵振動センサ第二端子Ｓｃｄの間は通電可能になる。
しかし、第一金属球内蔵振動センサＳａ、第二金属球内蔵振動センサＳｂは、両方とも、箱体Ｓｃａの短軸方向の振動を感知する能力は低いので、実施例１の電灯装置１に、第一金属球内蔵振動センサＳａ、あるいは、第二金属球内蔵振動センサＳｂのうちのいずれか一方のみを設置すると、実施例１の電灯装置１に設置された、第一金属球内蔵振動センサＳａ、あるいは、第二金属球内蔵振動センサＳｂのうちのいずれか一方は、箱体Ｓｃａの短軸方向の振動を感知しても、金属球内蔵振動センサ第一端子Ｓｃｃと金属球内蔵振動センサ第二端子Ｓｃｄの間は通電可能にならないことがある。
【００５３】
実施例１の電灯装置１は、水平面と平行な方向の振動については、どのような方向の振動を受けても、金属球内蔵振動センサ第一端子Ｓｃｃと金属球内蔵振動センサ第二端子Ｓｃｄの間が、通電可能になりやすくするようにするためには、実施例１の電灯装置１には、図１０(ａ)に示すように、第一金属球内蔵振動センサとＳａと第二金属球内蔵振動センサＳｂの両方を、互いに箱体Ｓｃａの長軸方向が略直角になるようにして設置すればよい。
実施例１の電灯装置１に、図１０(ａ)に示すように、第一金属球内蔵振動センサＳａと第二金属球内蔵振動センサＳｂの両方を、互いに箱体Ｓｃａの長軸方向が略直角になるように設置すれば、実施例１の電灯装置１は、第一金属球内蔵振動センサＳａの箱体Ｓｃａの短軸方向の振動を受ける際には、第二金属球内蔵振動センサＳｂの箱体Ｓｃａの長軸方向の振動を受けることになり、第二金属球内蔵振動センサＳｂの箱体Ｓｃａの短軸方向の振動を受ける際には、第一金属球内蔵振動センサＳａの箱体Ｓｃａの長軸方向の振動を受けることになるので、実施例１の電灯装置１は、水平面と平行な方向の振動については、どのような方向の振動を受けても、金属球内蔵振動センサ第一端子Ｓｃｃと金属球内蔵振動センサ第二端子Ｓｃｄの間は通電可能になりやすくなる。
【００５４】
実施例１の電灯装置１に、第一金属球内蔵振動センサとＳａと第二金属球内蔵振動センサＳｂの両方を、図１０(ａ)に示すように、互いに箱体Ｓｃａの長軸方向が略直角になるようにして設置する際にも、振動を感知しなくても、第一金属球内蔵振動センサＳａ、あるいは、第二金属球内蔵振動センサＳｂのうちのいずれか一方、あるいは、両方の金属球内蔵振動センサ第一端子Ｓｃｃと金属球内蔵振動センサ第二端子Ｓｃｄの間が通電可能になることを防止するために、第一金属球内蔵振動センサＳａは、箱体第二側面Ｓｃａｂ、あるいは、箱体第四側面Ｓｃａｄを上にして、図１０(ｂ)に示すように、箱体Ｓｃａの長軸方向を水平線からの角度θを−５度から−１５度ぐらいにして、実施例１の電灯装置１に設置して、第二金属球内蔵振動センサＳｂは、図１０(ｃ)に示すように、箱体上面Ｓｃａｅを上にして、箱体Ｓｃａの長軸方向を水平線からの角度θを−５度から−１５度ぐらいにして、実施例１の電灯装置１に設置しなければならない。
図１０(ｂ)では、第一金属球内蔵振動センサＳａは、箱体第四側面Ｓｃａｄを上にして、実施例１の電灯装置１に設置しているが、第一金属球内蔵振動センサＳａは、箱体第二側面Ｓｃａｂを上にして、実施例１の電灯装置１に設置してもよい。
【００５５】
実施例１の電灯装置１に、第一金属球内蔵振動センサとＳａと第二金属球内蔵振動センサＳｂの両方を設置する際には、図１１に示すように、第一金属球内蔵振動センサＳａの金属球内蔵振動センサ第一端子Ｓｃｃと第二金属球内蔵振動センサＳｂの金属球内蔵振動センサ第一端子Ｓｃｃを接続して、第一金属球内蔵振動センサＳａの金属球内蔵振動センサ第一端子Ｓｃｃと第二金属球内蔵振動センサＳｂの金属球内蔵振動センサ第二端子Ｓｃｄを接続することによって、第一金属球内蔵振動センサとＳａと第二金属球内蔵振動センサＳｂは並列に接続しなければならない。
第一金属球内蔵振動センサＳａと第二金属球内蔵振動センサＳｂは、図１１に示すように、並列に接続すると、第一金属球内蔵振動センサＳａ、あるいは、第二金属球内蔵振動センサＳｂのうちのいずれか一方、あるいは、両方が振動を感知して、第一金属球内蔵振動センサＳａ、あるいは、第二金属球内蔵振動センサＳｂのうちのいずれか一方、あるいは、両方の金属球内蔵振動センサ第一端子Ｓｃｃと金属球内蔵振動センサ第二端子Ｓｃｄの間が通電可能になれば正極接続端子Ｔ１から振動センサ接続用端子ＭＣＴ１、および、負極接続端子接続用端子Ｖｓｓに電流が流れる。
【００５６】
振動センサＳが、第一金属球内蔵振動センサＳａ、あるいは、第二金属球内蔵振動センサＳｂのうちのいずれか一方、あるいは、両方である際には、振動センサ第一端子Ｓ１は、金属球内蔵振動センサ第一端子Ｓｃｃであり、振動センサ第二端子Ｓ２は、金属球内蔵振動センサ第二端子Ｓｃｄである。
【００５７】
発光ダイオードＤには、一般発光ダイオードと高光度発光ダイオードがある。
一般発光ダイオードは、点灯した際には、２０mcd以上で１５００mcd未満の光度の光が生じる。
高光度発光ダイオードは、点灯した際には、１５００mcd以上の光度の光が生じる。
実施例１の電灯装置１の発光ダイオードＤに高発光ダイオードを用いた際には、実施例１の電灯装置１の発光ダイオードＤに一般発光ダイオードを用いた際よりも、実施例１の電灯装置１の発光ダイオードＤから明るい光を生じさせることができる。
【００５８】
実施例１の電灯装置１の使用方法について説明する。
実施例１の電灯装置１は、図１２(ａ)に示すように、収納ケースＣＡの内部に設置する。
収納ケースＣＡには、図１２(ａ)に示すように、収納ケース開口部ＡＯが設けられていて、ひもＳＴが通せるようになっている。
収納ケースＣＡは、発光ダイオードＤが点灯した際に、外部を照らすことができるようにするために、図１２(ａ)に示すように、少なくとも一部を透明、あるいは、半透明にしなければならない。
ドアＤＯは、図１２(ｂ)(ｃ)に示すように、ドアノブＤＮを有する。
収納ケースＣＡは、図１２(ｂ)(ｃ)に示すように、ひもＳＴをドアノブＤＮに引っ掛けることによって、ドアノブＤＮに吊り下げる。
ドアＤＯは、開閉するものでも、横方向に動くものでもよい。
実施例１の電灯装置１は、ドアノブＤＮ以外にも、ドアＤＯに設置されているフックなどに吊り下げてもよい。
【００５９】
ドアＤＯが開くと、図１３(ａ)に示すように、振動センサＳは、振動を感知するので、振動センサ第一端子Ｓ１と振動センサ第二端子Ｓ２の間は通電可能になって、振動センサ第二端子Ｓ２から振動センサ接続用端子ＭＣＴ１に電流が流れる。
振動センサ接続用端子ＭＣＴ１に電流が流れると、マイコンＭＣは、発光ダイオード接続用端子ＭＣＴ２から電流を送出するので、発光ダイオードカソード端子Ｄｋに電流が流れて、発光ダイオードＤは自動的に点灯する。
マイコンＭＣは、発光ダイオード接続用端子ＭＣＴ２から電流を送出停止すると、発光ダイオード接続用端子ＭＣＴ２から発光ダイオードアノード端子Ｄａには電流が流れなくなるので、発光ダイオードＤは、自動的に消灯する。
このため、実施例１の電灯装置１は、扉や壁などにスイッチを設置しなくても、発光ダイオードＤを自動的に点灯して一定時間点灯した後に、自動的に消灯させることができる。
【００６０】
ドアＤＯを開けても、発光ダイオードＤが点灯しない際には、ドアＤＯを振る、叩く、強く閉めるなどをすれば、実施例１の電灯装置１は、振動を感知して発光ダイオードＤは点灯する。
【００６１】
収納ケースＣＡは、図１３(ｂ)(ｃ)に示すように、テープＴＡで、ドアＤＯに貼り付けると、実施例１の電灯装置１は、より振動を感知しやすくなる。
【００６２】
実施例１の電灯装置１は、玄関や部屋のドアＤＯに設置して、夜になってから家に帰って来たときに、玄関や部屋の明かりのスイッチを探すために、暗くなっている玄関や部屋の中を発光ダイオードＤで照らすようなことのために使用することができる。
【実施例２】
【００６３】
実施例２も、電灯装置１である。
【００６４】
実施例２の電灯装置１は、実施例１の電灯装置１の変形例である。
実施例２の電灯装置１は、第一発光ダイオードＤ１と第二発光ダイオードＤ２を備えており、実施例１の電灯装置１のマイコンＭＣは、第一発光ダイオード接続用端子ＭＣＴ２１と第二発光ダイオード接続用端子ＭＣＴ２２を有している点が、実施例１の電灯装置１とは異なる。
【００６５】
実施例１の電灯装置１の発光ダイオードＤは、実施例２の電灯装置１では、図１４に示すように、第一発光ダイオードＤ１になっており、実施例１の電灯装置１の発光ダイオード接続用端子ＭＣＴ２は、実施例２の電灯装置１では、図１４に示すように、第一発光ダイオード接続用端子ＭＣＴ２１になっている。
実施例１の電灯装置１の発光ダイオードアノード端子Ｄａは、実施例２の電灯装置１では、図１４に示すように、第一発光ダイオードアノード端子Ｄ１ａになっている。
実施例１の電灯装置１の発光ダイオードカソード端子Ｄｋは、実施例２の電灯装置１では、図１４に示すように、第一発光ダイオードカソード端子Ｄ１ｋになっている。
図１４においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【００６６】
第二発光ダイオードＤ２は、図１４に示すように、第二発光ダイオードアノード端子Ｄ２ａと第二発光ダイオードカソード端子Ｄ２ｋを有している。
第二発光ダイオードアノード端子Ｄ２ａは、図１４に示すように、第二発光ダイオード接続用端子ＭＣＴ２２と接続されている。
第二発光ダイオードカソード端子Ｄ２ｋは、図１４に示すように、負極接続端子Ｔ２と接続されている。
【００６７】
実施例２の電灯装置１の第一発光ダイオードＤ１と第二発光ダイオードＤ２を点灯させるためには、図１５に示すように、実施例２の電灯装置１と電池ＢＴを接続しなければならない。
【００６８】
実施例２の電灯装置１のマイコンＭＣには、ありとあらゆるものがあるが、実施例１の電灯装置２のマイコンＭＣは、図１６に示すように、PIC16F628Aであってもよい。
【００６９】
図１６では、PIC16F628Aの１番ピンが第一発光ダイオード接続用端子ＭＣＴ２１になっており、PIC16F628Aの１８番ピンが第二発光ダイオード接続用端子ＭＣＴ２２になっている。
ただし、実施例１の電灯装置１のマイコンＭＣがPIC16F628Aである際には、PIC16F628Aの１番ピン、２番ピン、７番ピン、９番ピン、１０番ピン、１２番ピン、１６番ピン、あるいは、１８番ピンを第一発光ダイオード接続用端子ＭＣＴ２１、あるいは、第二発光ダイオード接続用端子ＭＣＴ２２のうちの一方、あるいは、両方の端子にすることができる。
【００７０】
実施例２の電灯装置１のマイコンＭＣがPIC16F628Aである際に、マイコンＭＣにインストールするためのプログラムには、ありとあらゆるものがあるが、実施例２の電灯装置１のマイコンＭＣがPIC16F628Aである際に、マイコンＭＣにインストールするためのプログラムは、図１７、あるいは、図１８、および、図１９に記載されたプログラムであってもよい。
図１８、および、図１９は、１つのプログラムである。
図１７、あるいは、図１８、および、図１９に記載されたプログラムは、Ｃ言語で記載されている。
図１７、あるいは、図１８、および、図１９に記載されたプログラムは、開発用ソフトウエアであるMPLAB  IDEを用いて開発しており、HI-TECH CをＣコンパイラに用いてコンパイルすることを目的にしたプログラムである。
【００７１】
図１７に記載されたプログラムの説明をする。
図１７に記載されたプログラムについては、図５に記載されたプログラムと異なる部分のみ説明する。
図１７の１９行目のfor(n=0;n<10;n++){は、図１７の１９行目から２３行目までのプログラムを１０回実行するように命令している。
図１７の２０行目のRA2=1;と図１７の２１行目のRA1=1;と図１７の２２行目の__delay_ms(9000);は、RA2とRA1から９秒間電流を送出することを命令している。
図１７の２３行目の}は、図１７の１９行目から始まるfor(n=0;n<10;n++){の命令が終了することを示している。
図１７の２４行目のfor(n=0;n<10;n++){は、図１７の２４行目から２８行目までのプログラムを１０回実行することを命令している。
図１７の２５行目のRA2=1;と図１７の２６行目のRA1=0;と図１７の２７行目の__delay_ms(9000);は、RA2からは９秒間電流を送出するが、RA1から９秒間電流を送出停止することを命令している。
図１７の２８行目の}は、図１７の２４行目から始まるfor(n=0;n<10;n++){の命令が終了することを示している。
【００７２】
実施例２の電灯装置１のマイコンＭＣがPIC16F628Aである際に、マイコンＭＣに図１７に示すプログラムをインストールすると、マイコンＭＣは、図１７の１８行目から２９行目までのプログラムに基づいて、RB0に対応する６番ピンに電流が流れると、図１７の１８行目から２９行目までのプログラムを実行する。
実施例２の電灯装置１のマイコンＭＣがPIC16F628Aである際に、マイコンＭＣに図１７に示すプログラムをインストールすると、マイコンＭＣは、RB0に電流が流れると、
図１７の１９行目から２３行目までのプログラムに基づいて、RA2とRA1から９秒間電流を１０回送出するので、RA2とRA1から９０秒間電流を送出して、図１７の２４行目から２８行目までのプログラムに基づいて、RA2からは９秒間電流を１０回送出し、RA1からは９秒間電流を１０回送出停止するので、RA2からは９０秒間電流を送出するが、RA1からは９０秒間電流を送出停止する。
【００７３】
図１６に示すように、RB0に対応する６番ピンは振動センサ接続用端子ＭＣＴ１になっており、RA2に対応する１番ピンは第一発光ダイオード接続用端子ＭＣＴ２１になっており、RA1に対応する１８番ピンは第二発光ダイオード接続用端子ＭＣＴ２２になっている。
このため、実施例２の電灯装置１のマイコンＭＣがPIC16F628Aである際に、マイコンＭＣに図１７に示すプログラムをインストールすると、マイコンＭＣは、振動センサＳが振動を感知することによって、振動センサ第二端子Ｓ２から振動センサ接続用端子ＭＣＴ１に電流が流れると、図１７の１９行目から２３行目までのプログラムに基づいて、マイコンＭＣは、第一発光ダイオード接続用端子ＭＣＴ２１と第二発光ダイオード接続用端子ＭＣＴ２２から９０秒間電流を送出する。
マイコンＭＣは、第一発光ダイオード接続用端子ＭＣＴ２１から９０秒間電流を送出すると、第一発光ダイオード接続用端子ＭＣＴ２１から第一発光ダイオードアノード端子Ｄ１ａに９０秒間電流が流れて、第一発光ダイオードＤ１は９０秒間点灯する。
マイコンＭＣは、第二発光ダイオード接続用端子ＭＣＴ２２から９０秒間電流を送出すると、第二発光ダイオード接続用端子ＭＣＴ２２から第二発光ダイオードアノード端子Ｄ２ａに９０秒間電流が流れて、第二発光ダイオードＤ２は９０秒間点灯する。
【００７４】
次に、マイコンＭＣは、図１７の２４行目から２８行目までのプログラムに基づいて、第一発光ダイオード接続用端子ＭＣＴ２１から９０秒間電流を送出するが、第二発光ダイオード接続用端子ＭＣＴ２２から９０秒間電流を送出停止する。
マイコンＭＣは、第一発光ダイオード接続用端子ＭＣＴ２１から９０秒間電流を送出すると、第一発光ダイオード接続用端子ＭＣＴ２１から第一発光ダイオードアノード端子Ｄ１ａに９０秒間電流が流れて、第一発光ダイオードＤ１は９０秒間点灯する。
マイコンＭＣは、第二発光ダイオード接続用端子ＭＣＴ２２から９０秒間電流を送出停止すると、第二発光ダイオード接続用端子ＭＣＴ２２から第二発光ダイオードアノード端子Ｄ２ａに９０秒間電流が流れないので、第二発光ダイオードＤ２は９０秒間消灯する。
【００７５】
ただし、図１７の２５行目をRA2=0;として、図１７の２６行目のRA1=1;とすれば、図１７の２４行目から２８行目までのプログラムについては、RA2からは９秒間電流を１０回送出停止し、RA1からは９秒間電流を１０回送出するので、RA2からは９０秒間電流を送出停止するが、RA1からは９０秒間電流を送出ことによって、第一発光ダイオードＤ１は９０秒間消灯するが、第二発光ダイオードＤ２は９０秒間点灯するようにすることができる。
【００７６】
図１６に示すように、実施例２の電灯装置１のマイコンＭＣがPIC16F628Aである際に、PIC16F628Aの１番ピンを発光ダイオード接続用端子ＭＣＴ２にするために、図１７の２０行目と２５行目にはRA2=1;とプログラムされており、PIC16F628Aの１８番ピンを第二発光ダイオード接続用端子ＭＣＴ２２にするために、図１７の２１行目にはRA1=1;、図１７の２６行目にはRA1=0;とプログラムされている。
ただし、図１７の２０行目と２５行目にRA2=1;ではなく、RA3=1;、RB1=1;、RB3=1;、RB4=1;、RB6=1;、RA7=1;、あるいは、RA1=1;とプログラムすれば、実施例２の電灯装置１のマイコンＭＣがPIC16F628Aである際に、PIC16F628Aの２番ピン、７番ピン、９番ピン、１０番ピン、１２番ピン、１６番ピン、あるいは、１８番ピンを第一発光ダイオード接続用端子ＭＣＴ２１にすることができる。
また、図１７の２１行目にRA1=1;ではなくRA2=1;、RA3=1;、RB1=1;、RB3=1;、RB4=1;、RB6=1;、あるいは、RA7=1;とプログラムして、図１７の２６行目にRA1=0;ではなくRA2=0;、RA3=0;、RB1=0;、RB3=0;、RB4=0;、RB6=0;、あるいは、RA7=1;とプログラムすれば、実施例２の電灯装置１のマイコンＭＣがPIC16F628Aである際に、PIC16F628Aの１番ピン、２番ピン、７番ピン、９番ピン、１０番ピン、１２番ピン、あるいは、１６番ピンを第二発光ダイオード接続用端子ＭＣＴ２２にすることができる。
【００７７】
１番ピン、２番ピン、７番ピン、９番ピン、１０番ピン、１２番ピン、１６番ピン、あるいは、１８番ピンについては、このうちの１つを第一発光ダイオード接続用端子ＭＣＴ２１、および、第二発光ダイオード接続用端子ＭＣＴ２２の両方の端子にすることもできる。
【００７８】
図１８、および、図１９に記載されたプログラムの説明をする。
図１８、および、図１９に記載されたプログラムについては、図５に記載されたプログラムと異なる部分のみ説明する。
図１８の１９行目のfor(n=0;n<450;n++){は、図１８の１９行目から２８行目までのプログラムを４５０回実行するように命令している。
図１８の２０行目のRA2=1;と図１８の２１行目の__delay_ms(100);は、RA2から０.１秒間電流を送出することを命令している。
図１８の２２行目のRA2=0;と図１８の２３行目の__delay_ms(100);は、RA2からは０.１秒間電流を送出停止することを命令している。
図１８の２４行目のRA1=1;と図１８の２５行目の__delay_ms(100);は、RA1から０.１秒間電流を送出することを命令している。
図１８の２６行目のRA1=0;と図１８の２７行目の__delay_ms(100);は、RA1からは０.１秒間電流を送出停止することを命令している。
図１８の２８行目の}は、図１８の１９行目から始まるfor(n=0;n<450;n++){の命令が終了することを示している。
【００７９】
図１８の２９行目のfor(n=0;n<225;n++){は、図１８の２９行目から３４行目までのプログラムを２２５回実行するように命令している。
図１８の３０行目のRA2=1;と図１８の３１行目の__delay_ms(100);は、RA2から０.１秒間電流を送出することを命令している。
図１８の３２行目のRA2=0;と図１８の３３行目の__delay_ms(100);は、RA2からは０.１秒間電流を送出停止することを命令している。
図１８の３４行目の}は、図１８の２９行目から始まるfor(n=0;n<225;n++){の命令が終了することを示している。
【００８０】
図１８の３５行目のfor(n=0;n<225;n++){は、図１８の３５行目から図１８の１行目までのプログラムを２２５回実行するように命令している。
図１８の３６行目のRA1=1;と図１８の３７行目の__delay_ms(100);は、RA1から０.１秒間電流を送出することを命令している。
図１８の３８行目のRA1=0;と図１８の３９行目の__delay_ms(100);は、RA1からは０.１秒間電流を送出停止することを命令している。
図１９の１行目の}は、図１８の３５行目から始まるfor(n=0;n<225;n++){の命令が終了することを示している。
【００８１】
実施例２の電灯装置１のマイコンＭＣがPIC16F628Aである際に、マイコンＭＣに図１８、および、図１９に示すプログラムをインストールすると、マイコンＭＣは、図１８の１８行目から図１９の２行目までのプログラムに基づいて、RB0に対応する６番ピンにに電流が流れると、図１８の１８行目から図１９の２行目までのプログラムを実行する。
実施例２の電灯装置１のマイコンＭＣがPIC16F628Aである際に、マイコンＭＣに図１８、および、図１９に示すプログラムをインストールすると、マイコンＭＣは、RB0に電流が流れると、図１８の１９行目から２８行目までのプログラムに基づいて、RA2から０.１秒間電流を送出するのと、RA2から０.１秒間電流を送出停止するのと、RA1から０.１秒間電流を送出するのと、RA1から０.１秒間電流を送出停止するのを４５０回繰り返すので、RA2とRA1は、０.４秒×４５０回＝１８０秒間電流の送出と送出停止を繰り返す。
【００８２】
次に、マイコンＭＣは、図１８の２９行目から３４行目までのプログラムに基づいて、RA2から０.１秒間電流を送出するのと、RA2から０.１秒間電流を送出停止するのを２２５回繰り返すので、RA2は、０.２秒×２２５回＝４５秒間電流の送出と送出停止を繰り返す。
さらに、その次に、マイコンＭＣは、図１８の３５行目から図１９の１行目までのプログラムに基づいて、RA1から０.１秒間電流を送出するのと、RA1から０.１秒間電流を送出停止するのを２２５回繰り返すので、RA1は、０.２秒×２２５回＝４５秒間電流の送出と送出停止を繰り返す。
【００８３】
図１６に示すように、RB0に対応する６番ピンは振動センサ接続用端子ＭＣＴ１になっており、RA2に対応する１番ピンは第一発光ダイオード接続用端子ＭＣＴ２１になっており、RA1に対応する１８番ピンは第二発光ダイオード接続用端子ＭＣＴ２２になっている。
このため、実施例２の電灯装置１のマイコンＭＣがPIC16F628Aである際に、マイコンＭＣに図１８、および、図１９に示すプログラムをインストールすると、マイコンＭＣは、振動センサＳが振動を感知することによって、振動センサ第二端子Ｓ２から振動センサ接続用端子ＭＣＴ１に電流が流れると、図１８の１９行目から２８行目までのプログラムに基づいて、第一発光ダイオード接続用端子ＭＣＴ２１と第二発光ダイオード接続用端子ＭＣＴ２２から１８０秒間電流の送出と送出停止を繰り返す。
マイコンＭＣは、第一発光ダイオード接続用端子ＭＣＴ２１から１８０秒間電流の送出と送出停止を繰り返すと、第一発光ダイオード接続用端子ＭＣＴ２１から第一発光ダイオードアノード端子Ｄ１ａに１８０秒間電流が流れたり、流れなかったりするので、第一発光ダイオードＤ１は１８０秒間点灯と消灯を繰り返す。
マイコンＭＣは、第二発光ダイオード接続用端子ＭＣＴ２２から１８０秒間電流の送出と送出停止を繰り返すと、第二発光ダイオード接続用端子ＭＣＴ２２から第二発光ダイオードアノード端子Ｄ２ａに１８０秒間電流が流れたり、流れなかったりするので、第二発光ダイオードＤ２は１８０秒間点灯と消灯を繰り返す。
【００８４】
次に、マイコンＭＣは、図１８の２９行目から３４行目までのプログラムに基づいて、第一発光ダイオード接続用端子ＭＣＴ２１から４５秒間電流の送出と送出停止を繰り返すと、第一発光ダイオード接続用端子ＭＣＴ２１から第一発光ダイオードアノード端子Ｄ１ａに４５秒間電流が流れたり、流れなかったりするので、第一発光ダイオードＤ１は４５秒間点灯と消灯を繰り返す。
さらに、その次に、マイコンＭＣは、図１８の３５行目から図１８の１行目までのプログラムに基づいて、第二発光ダイオード接続用端子ＭＣＴ２２から４５秒間電流の送出と送出停止を繰り返すと、第二発光ダイオード接続用端子ＭＣＴ２２から第二発光ダイオードアノード端子Ｄ２ａに４５秒間電流が流れたり、流れなかったりするので、第二発光ダイオードＤ２は４５秒間点灯と消灯を繰り返す。
【００８５】
図１６に示すように、実施例２の電灯装置１のマイコンＭＣがPIC16F628Aである際に、PIC16F628Aの１番ピンを発光ダイオード接続用端子ＭＣＴ２にするために、図１８の２０行目と３０行目にRA2=1;、図１８の２２行目と３２行目にRA2=0;とプログラムされており、PIC16F628AのRA1に対応する１８番ピンを第二発光ダイオード接続用端子ＭＣＴ２２にするために、図１８の２４行目と３６行目にRA1=1;、図１８の２６行目と３８行目にRA1=0;とプログラムされている。
ただし、図１８の２０行目と３０行目にRA2=1;ではなく、RA3=1;、RB1=1;、RB3=1;、RB4=1;、RB6=1;、RA7=1;、あるいは、RA1=1;とプログラムして、図１８の２２行目と３２行目にRA2=0;ではなく、RA3=0;、RB1=0;、RB3=0;、RB4=0;、RB6=0;、RA7=0;、あるいは、RA1=0;とプログラムすれば、実施例２の電灯装置１のマイコンＭＣがPIC16F628Aである際に、PIC16F628Aの２番ピン、７番ピン、９番ピン、１０番ピン、１２番ピン、１６番ピン、あるいは、１８番ピンを第一発光ダイオード接続用端子ＭＣＴ２１にすることができる。
また、図１８の２４行目と３６行目にRA1=1;ではなくRA2=1;、RA3=1;、RB1=1;、RB3=1;、RB4=1;、RB6=1;、あるいは、RA7=1;とプログラムして、図１８の２６行目と３８行目にRA1=0;ではなくRA2=0;、RA3=0;、RB1=0;、RB3=0;、RB4=0;、RB6=0;、あるいは、RA7=1;とプログラムすれば、実施例２の電灯装置１のマイコンＭＣがPIC16F628Aである際に、PIC16F628Aの１番ピン、２番ピン、７番ピン、９番ピン、１０番ピン、１２番ピン、あるいは、１６番ピンを第二発光ダイオード接続用端子ＭＣＴ２２にすることができる。
【００８６】
１番ピン、２番ピン、７番ピン、９番ピン、１０番ピン、１２番ピン、１６番ピン、あるいは、１８番ピンについては、このうちの１つを第一発光ダイオード接続用端子ＭＣＴ２１、および、第二発光ダイオード接続用端子ＭＣＴ２２の両方の端子にすることもできる。
【００８７】
実施例２の電灯装置１は、図２０(ａ)に示すように、収納ケースＣＡの内部に設置する。
図２０(ｂ)に示すように、収納ケースＣＡは、ひもＳＴをドアノブＤＮに引っ掛けることによって、ドアノブＤＮに吊り下げて、図２０(ｃ)に示すように、ドアＤＯが開くと、振動センサＳは、振動を感知するので、振動センサ第一端子Ｓ１と振動センサ第二端子Ｓ２の間は、通電可能になるので、振動センサ第二端子Ｓ２から振動センサ接続用端子ＭＣＴ１に電流が流れる。
実施例２の電灯装置１は、振動センサ第二端子Ｓ２から振動センサ接続用端子ＭＣＴ１に電流が流れると、マイコンＭＣは、第一発光ダイオード接続用端子ＭＣＴ２１と第二発光ダイオード接続用端子ＭＣＴ２２から電流を送出するので、第一発光ダイオード接続用端子ＭＣＴ２１から第一発光ダイオードアノード端子Ｄ１ａに電流が流れて、第一発光ダイオードＤ１は自動的に点灯して、第二発光ダイオード接続用端子ＭＣＴ２２から第二発光ダイオードアノード端子Ｄ２ａに電流が流れることによって、第二発光ダイオードＤ２も自動的も点灯する。
【００８８】
実施例２の電灯装置１のマイコンＭＣは、第一発光ダイオード接続用端子ＭＣＴ２１と第二発光ダイオード接続用端子ＭＣＴ２２から電流を送出停止すると、第一発光ダイオード接続用端子ＭＣＴ２１から第一発光ダイオードアノード端子Ｄ１ａには電流が流れなくなるので、第一発光ダイオードＤ１と第一発光ダイオードＤ２は自動的に消灯して、第二発光ダイオード接続用端子ＭＣＴ２２から第二発光ダイオードアノード端子Ｄ２ａには電流が流れなくなるので、第二発光ダイオードＤ２は自動的に消灯する。
【００８９】
このため、実施例２の電灯装置１は、扉や壁などにスイッチを設置しなくても、第一発光ダイオードＤ１と第二発光ダイオードＤ２を自動的に点灯して一定時間点灯した後に、自動的に消灯させることができる。
【００９０】
実施例２の電灯装置１は、玄関や部屋のドアＤＯに設置して、夜になってから家に帰って来たときに、玄関や部屋の明かりのスイッチを探すために、暗くなっている玄関や部屋の中を第一発光ダイオードＤ１と第二発光ダイオードＤ２で照らすようなことのために使用することができる。
【実施例３】
【００９１】
実施例３は、ブザー装置２である。
【００９２】
実施例３のブザー装置２は、実施例１の電灯装置１の変形例である。
実施例３のブザー装置２は、実施例１の電灯装置１が備えている発光ダイオードＤを備えてはおらず、実施例１の電灯装置１は備えてはいないブザーＢとバイポーラNPNトランジスタＴｒと電解コンデンサＣを備えており、実施例３のブザー装置２のマイコンＭＣは、実施例１の電灯装置１のマイコンＭＣが有している発光ダイオード接続用端子ＭＣＴ２は有してはおらず、実施例１の電灯装置１のマイコンＭＣが有してはいないバイポーラNPNトランジスタ接続用端子ＭＣＴ３を有している点が実施例１の電灯装置１とは異なる。
【００９３】
実施例３のブザー装置２は、図２１に示すように、正極接続端子Ｔ１と負極接続端子Ｔ２とマイコンＭＣと振動センサＳとブザーＢとバイポーラNPNトランジスタＴｒと電解コンデンサＣを備えている。
【００９４】
マイコンＭＣは、図２１に示すように、正極接続端子接続用端子Ｖｄｄと負極接続端子接続用端子Ｖｓｓと振動センサ接続用端子ＭＣＴ１とバイポーラNPNトランジスタ接続用端子ＭＣＴ３を有している。
ブザーＢは、図２１に示すように、ブザー第一端子Ｂ１とブザー第二端子Ｂ２を有する。
電解コンデンサＣは、図２１に示すように、電解コンデンサ正極端子Ｃ１と電解コンデンサ負極端子Ｃ２を有している。
バイポーラNPNトランジスタＴｒは、図２１に示すように、ベース端子ＴｒＢとコレクタ端子ＴｒＣとエミッタ端子ＴｒＥを有している。
正極接続端子Ｔ１は、図２１に示すように、正極接続端子接続用端子Ｖｄｄ、振動センサ第一端子Ｓ１、ブザー第一端子Ｂ１、および、電解コンデンサ正極端子Ｃ１と接続されている。
振動センサ第二端子Ｓ２は、図２１に示すように、振動センサ接続用端子ＭＣＴ１、および、負極接続端子Ｔ２と接続されている。
ベース端子ＴｒＢは、図２１に示すように、バイポーラNPNトランジスタ接続用端子ＭＣＴ３と接続されている。
コレクタ端子ＴｒＣは、図２１に示すように、ブザー第二端子Ｂ２、および、電解コンデンサ負極端子Ｃ２と接続されている。
エミッタ端子ＴｒＥは、図２１に示すように、負極接続端子Ｔ２と接続されている。
負極接続端子接続用端子Ｖｓｓは、図２１に示すように、負極接続端子Ｔ２と接続されている。
【００９５】
図２１においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、実施例３のブザー装置２は、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【００９６】
ブザーＢには、電磁ブザーや圧電ブザーがある。
電磁ブザーや圧電ブザーが正極端子と負極端子を有している際には、ブザー第一端子Ｂ１は正極端子であり、ブザー第二端子Ｂ２は負極端子である。
【００９７】
実施例３のブザー装置２のブザーＢを鳴らすためには、図２２に示すように、実施例１の電灯装置１と電池ＢＴを接続しなければならない。
【００９８】
実施例３のブザー装置２のマイコンＭＣには、ありとあらゆるものがあるが、実施例３のブザー装置２のマイコンＭＣは、図２３に示すように、PIC16F628Aであってもよい。
【００９９】
図２３においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、実施例３のブザー装置２は、マイコンＭＣがPIC16F628Aであっても、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
また、図２３においては、負極接続端子接続用端子Ｖｓｓと負極接続端子Ｔ２を結ぶ線と正極接続端子Ｔ１と電解コンデンサ正極端子Ｃ１、および、ブザー第一端子Ｂ１を結ぶ線は交差しているが、実施例３のブザー装置２は、マイコンＭＣがPIC16F628Aであっても、負極接続端子接続用端子Ｖｓｓと負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【０１００】
図２３では、２番ピンがバイポーラNPNトランジスタ接続用端子ＭＣＴ３になっている。
ただし、１番ピン、２番ピン、７番ピン、９番ピン、１０番ピン、１２番ピン、１６番ピン、あるいは、１８番ピンをバイポーラNPNトランジスタ接続用端子ＭＣＴ３にすることができる。
【０１０１】
実施例３のブザー装置２のマイコンＭＣがPIC16F628Aである際に、マイコンＭＣにインストールするためのプログラムには、ありとあらゆるものがあるが、実施例３のブザー装置２のマイコンＭＣがPIC16F628Aである際に、マイコンＭＣにインストールするためのプログラムは、図２４、あるいは、図２５に記載されたプログラムであってもよい。
図２４、あるいは、図２５に記載されたプログラムは、Ｃ言語で記載されている。
図２４、あるいは、図２５に記載されたプログラムは、開発用ソフトウエアであるMPLAB  IDEを用いて開発しており、HI-TECH CをＣコンパイラに用いること目的にしている。
【０１０２】
図２４に記載されたプログラムの説明をする。
図２４に記載されたプログラムについては、図５に記載されたプログラムと異なる部分のみ説明する。
図２４の１９行目のfor(n=0;n<10;n++){は、図２４の１９行目から２２行目までのプログラムを１０回実行するように命令している。
図２４の２０行目のRA3=1;と図２４の２１行目の__delay_ms(9000);は、RA3から９秒間電流を送出することを命令している。
図２４の２２行目の}は、図２４の１９行目から始まるfor(n=0;n<10;n++){の命令が終了することを示している。
【０１０３】
実施例３のブザー装置２のマイコンＭＣがPIC16F628Aである際に、マイコンＭＣに図２４に示すプログラムをインストールすると、マイコンＭＣは、図２４の１８行目から２３行目までのプログラムに基づいて、RB0に対応する６番ピンに電流が流れると、図２４の１８行目から２３行目までのプログラムを実行する。
実施例３のブザー装置２のマイコンＭＣがPIC16F628Aである際に、マイコンＭＣに図２４に示すプログラムをインストールすると、マイコンＭＣは、RB0に電流が流れると、
図２４の１９行目から２２行目までのプログラムに基づいて、RA3から９秒間電流を１０回送出するので、RA3から９０秒間電流を送出する。
図２３に示すように、RB0に対応する６番ピンは振動センサ接続用端子ＭＣＴ１になっており、RA3に対応する２番ピンはバイポーラNPNトランジスタ接続用端子ＭＣＴ３になっている。
【０１０４】
このため、実施例３のブザー装置２のマイコンＭＣがPIC16F628Aである際に、マイコンＭＣに図２４に示すプログラムをインストールすると、マイコンＭＣは、振動センサＳが振動を感知することによって、振動センサ第二端子Ｓ２から振動センサ接続用端子ＭＣＴ１に電流が流れると、図２４の１９行目から２２行目までのプログラムに基づいて、バイポーラNPNトランジスタ接続用端子ＭＣＴ３から９０秒間電流を送出するので、バイポーラNPNトランジスタ接続用端子ＭＣＴ３からベース端子ＴｒＢに９０秒間電流が流れて、正極接続端子Ｔ１とコレクタ端子ＴｒＣの間は９０秒間通電可能になって、正極接続端子Ｔ１とコレクタ端子ＴｒＣの間は９０秒間電流が流れるので、ブザーＢは９０秒間鳴る。
ただし、電解コンデンサＣの静電容量によっては、ブザーＢは、９０秒間の間に何回か鳴ることを停止することがある。
【０１０５】
図２３に示すように、実施例３のブザー装置２のマイコンＭＣがPIC16F628Aである際に、PIC16F628Aの２番ピンをバイポーラNPNトランジスタ接続用端子ＭＣＴ３にするために、図２４の２０行目にRA3=1とプログラムされている。
ただし、図２４に示すプログラムには、図２４の２０行目にRA3=1;ではなく、RA2=1;、RB1=1;、RB3=1;、RB4=1;、RB6=1;、RA7=1;、あるいは、RA1=1;とプログラムすれば、実施例３のブザー装置２のマイコンＭＣがPIC16F628Aである際に、PIC16F628Aの１番ピン、７番ピン、９番ピン、１０番ピン、１２番ピン、１６番ピン、あるいは、１８番ピンをバイポーラNPNトランジスタ接続用端子ＭＣＴ３にすることができる。
【０１０６】
図２５に記載されたプログラムの説明をする。
図２５に記載されたプログラムについては、図５に記載されたプログラムと異なる部分のみ説明する。
図２５の１９行目のfor(n=0;n<450;n++){は、図２５の１９行目から２４行目までのプログラムを４５０回実行するように命令している。
図２５の２０行目のRA3=1;と図２５の２１行目の__delay_ms(100);は、RA3から０.１秒間電流を送出することを命令している。
図２５の２２行目のRA3=0;と図２５の２３行目の__delay_ms(100);は、RA3から０.１秒間電流を送出停止することを命令している。
図２５の２４行目の}は、図２５の１９行目から始まるfor(n=0;n<450;n++){の命令が終了することを示している。
【０１０７】
実施例３のブザー装置２のマイコンＭＣがPIC16F628Aである際に、マイコンＭＣに図２３に示すプログラムをインストールすると、図２５の１８行目から２５行目までのプログラムに基づいて、RB0に対応する６番ピンに電流が流れると、図２５の１８行目から２５行目までのプログラムを実行する。
実施例３のブザー装置２のマイコンＭＣがPIC16F628Aである際に、マイコンＭＣに図２５に示すプログラムをインストールすると、マイコンＭＣは、RB0に電流が流れると、
図２５の１９行目から２４行目までのプログラムに基づいて、RA3から０.１秒間電流を送出するのと、RA3から０.１秒間電流を送出停止するのを４５０回繰り返すので、RA3は、０.２秒×４５０回＝９０秒間電流の送出と送出停止を繰り返す。
図２３に示すように、RB0に対応する６番ピンは振動センサ接続用端子ＭＣＴ１になっており、RA3に対応する２番ピンはバイポーラNPNトランジスタ接続用端子ＭＣＴ３になっている。
【０１０８】
このため、実施例３のブザー装置２のマイコンＭＣがPIC16F628Aである際に、マイコンＭＣに図２５に示すプログラムをインストールすると、マイコンＭＣは、振動センサＳが振動を感知することによって、振動センサ第二端子Ｓ２から振動センサ接続用端子ＭＣＴ１に電流が流れると、図２５の１９行目から２４行目までのプログラムに基づいて、マイコンＭＣは、バイポーラNPNトランジスタ接続用端子ＭＣＴ３から９０秒間電流の送出と送出停止を繰り返すので、バイポーラNPNトランジスタ接続用端子ＭＣＴ３からベース端子ＴｒＢに９０秒間電流が流れたり、流れなかったりして、正極接続端子Ｔ１とコレクタ端子ＴｒＣの間は９０秒間通電可能になったり、通電不能になることによって、ブザーＢは９０秒間鳴ることと鳴ることを停止することを繰り返す。
【０１０９】
図２３に示すように、実施例３のブザー装置２のマイコンＭＣがPIC16F628Aである際に、PIC16F628Aの２番ピンをバイポーラNPNトランジスタ接続用端子ＭＣＴ３にするために、図２５の２０行目にRA3=1;、図２５の２２行目にRA3=0;とプログラムされている。
ただし、図２５の２０行目にRA3=1;ではなく、RA2=1;、RB1=1;、RB3=1;、RB4=1;、RB6=1;、RA7=1;、あるいは、RA1=1;とプログラムして、図２５の２２行目にRA3=0;ではなく、RA2=0;、RB1=0;、RB3=0;、RB4=0;、RB6=0;、RA7=0;、あるいは、RA1=0;とプログラムすれば、実施例３のブザー装置２のマイコンＭＣがPIC16F628Aである際に、PIC16F628Aの１番ピン、７番ピン、９番ピン、１０番ピン、１２番ピン、１６番ピン、あるいは、１８番ピンをバイポーラNPNトランジスタ接続用端子ＭＣＴ３にすることができる。
【０１１０】
図２１、図２２、図２３に示す実施例３のブザー装置２のトランジスタＴｒや電解コンデンサＣの静電容量には、ありとあらゆるものがあるが、実施例３のブザー装置２のトランジスタＴｒは、２ＳＣ１８１５、電解コンデンサＣの静電容量は１０μＦであってもよい。
【０１１１】
実施例３のブザー装置２は、図２１に示す回路では、ブザーＢが鳴らない際には、図２６に示すように、コレクタ端子ＴｒＣと負極接続端子Ｔ２の間に、抵抗Ｒを接続すればよい。
抵抗Ｒは、図２６に示すように、抵抗第一端子Ｒ１と抵抗第二端子Ｒ２を有する。
図２６に示すように、抵抗第一端子Ｒ１とコレクタ端子ＴｒＣを接続して、抵抗第二端子Ｒ２と負極接続端子Ｔ２を接続すれば、コレクタ端子ＴｒＣと負極接続端子Ｔ２の間に、抵抗Ｒは接続される。
抵抗Ｒの抵抗値にも、ありとあらゆるものがあるが、実施例３のブザー装置２の抵抗Ｒの抵抗値は、5.1Ωでもよい。
【０１１２】
実施例３のブザー装置２は、図２７(ａ)に示すように、収納ケースＣＡの内部に設置する。
図２７(ｂ)に示すように、収納ケースＣＡは、ひもＳＴをドアノブＤＮに引っ掛けることによって、ドアノブＤＮに吊り下げて、図２７(ｃ)に示すように、ドアＤＯが開くと、振動センサＳは、振動を感知するので、振動センサ第一端子Ｓ１と振動センサ第二端子Ｓ２の間は、通電可能になるので、振動センサ第二端子Ｓ２から振動センサ接続用端子ＭＣＴ１に電流が流れる。
実施例３のブザー装置２は、振動センサ第二端子Ｓ２から振動センサ接続用端子ＭＣＴ１に電流が流れると、マイコンＭＣは、バイポーラNPNトランジスタ接続用端子ＭＣＴ３から電流を送出するので、バイポーラNPNトランジスタ接続用端子ＭＣＴ３からベース端子ＴｒＢに電流が流れて、正極接続端子Ｔ１とコレクタ端子ＴｒＣの間は通電可能になることによって、正極接続端子Ｔ１からコレクタ端子ＴｒＣに電流が流れるので、ブザーＢは、自動的に鳴る。
マイコンＭＣは、バイポーラNPNトランジスタ接続用端子ＭＣＴ３から電流を送出停止すれば、バイポーラNPNトランジスタ接続用端子ＭＣＴ３からベース端子ＴｒＢには電流が流れなくなるので、正極接続端子Ｔ１とコレクタ端子ＴｒＣの間は通電不能になって、正極接続端子Ｔ１からコレクタ端子ＴｒＣには電流が流れなくなるので、ブザーＢは、自動的に鳴ることを停止する。
【０１１３】
このため、実施例３のブザー装置２は、振動センサＳだけで、ブザーＢを自動的に鳴らして一定時間鳴らした後に、自動的に鳴ることを停止させることができる。
【０１１４】
実施例３のブザー装置２は、発光ダイオードＤは有してはいないので、実施例３のブザー装置２を収納するための収納ケースＣＡは、必ずしも、少なくとも一部を透明、あるいは、半透明にしなくてもよい。                            
【０１１５】
実施例３の電灯装置１は、玄関や部屋のドアＤＯに設置して、ドアＤＯが開いた際にブザーＢを鳴らずことによって、ドアＤＯが開いたことを知らせるようなことのために使用することができる。
【実施例４】
【０１１６】
実施例４は、電灯装置、および、ブザー装置を備えた装置３である。
【０１１７】
実施例４の電灯装置、および、ブザー装置を備えた装置３は、実施例１の電灯装置１の変形例である。
実施例４の電灯装置、および、ブザー装置を備えた装置３は、実施例１の電灯装置１が備えてはいないブザーＢとバイポーラNPNトランジスタＴｒと電解コンデンサＣを備えており、実施例１の電灯装置１のマイコンＭＣが有してはいないバイポーラNPNトランジスタ接続用端子ＭＣＴ３を有している点が実施例１の電灯装置１とは異なる。
【０１１８】
実施例４の電灯装置、および、ブザー装置を備えた装置３は、図２８に示すように、正極接続端子Ｔ１と負極接続端子Ｔ２とマイコンＭＣと振動センサＳと発光ダイオードＤとブザーＢと電解コンデンサＣとバイポーラNPNトランジスタＴｒを備えている。
マイコンＭＣは、図２８に示すように、正極接続端子接続用端子Ｖｄｄと負極接続端子接続用端子Ｖｓｓと振動センサ接続用端子ＭＣＴ１と発光ダイオード接続用端子ＭＣＴ２とバイポーラNPNトランジスタ接続用端子ＭＣＴ３を有する。
正極接続端子Ｔ１は、図２８に示すように、正極接続端子接続用端子Ｖｄｄ、振動センサ第一端子Ｓ１、ブザー第一端子Ｂ１、および、電解コンデンサ正極端子Ｃ１と接続されている。
振動センサ第二端子Ｓ２は、図２８に示すように、振動センサ接続用端子ＭＣＴ１、および、負極接続端子Ｔ２と接続されている。
発光ダイオードアノード端子Ｄａは、図２８に示すように、発光ダイオード接続用端子ＭＣＴ２と接続されている。
発光ダイオードカソード端子Ｄｋは、図２８に示すように、負極接続端子Ｖｓｓと接続されている。
ベース端子ＴｒＢは、図２８に示すように、バイポーラNPNトランジスタ接続用端子ＭＣＴ３と接続されている。
コレクタ端子ＴｒＣは、図２８に示すように、ブザー第二端子Ｂ２、および、電解コンデンサ負極端子Ｃ２と接続されている。
エミッタ端子ＴｒＥは、図２８に示すように、負極接続端子Ｔ２と接続されている。
負極接続端子接続用端子Ｖｓｓは、図２８に示すように、負極接続端子Ｔ２と接続されている。
【０１１９】
図２８においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、実施例４の電灯装置、および、ブザー装置を備えた装置３は、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
図２８においては、発光ダイオードカソード端子Ｄｋと負極接続端子Ｔ２を結ぶ線と正極接続端子Ｔ１と電解コンデンサ正極端子Ｃ１、および、ブザー第一端子Ｂ１を結ぶ線は交差しているが、実施例４の電灯装置、および、ブザー装置を備えた装置３は、発光ダイオードカソード端子Ｄｋと負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【０１２０】
実施例４の電灯装置、および、ブザー装置を備えた装置３の発光ダイオードＤを点灯させて、ブザーＢを鳴らすためには、図２９に示すように、実施例４の電灯装置、および、ブザー装置を備えた装置３と電池ＢＴを接続しなければならない。
【０１２１】
実施例４の電灯装置、および、ブザー装置を備えた装置３のマイコンＭＣには、ありとあらゆるものがあるが、実施例４の電灯装置、および、ブザー装置を備えた装置３のマイコンＭＣは、図３０に示すように、PIC16F628Aであってもよい。
【０１２２】
図３０においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、実施例４の電灯装置、および、ブザー装置を備えた装置３は、マイコンＭＣがPIC16F628Aであっても、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
図３０においては、負極接続端子接続用端子Ｖｓｓと負極接続端子Ｔ２を結ぶ線と正極接続端子Ｔ１と電解コンデンサ正極端子Ｃ１、および、ブザー第一端子Ｂ１を結ぶ線は交差しているが、実施例４の電灯装置、および、ブザー装置を備えた装置３は、マイコンＭＣがPIC16F628Aであっても、負極接続端子接続用端子Ｖｓｓと負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【０１２３】
図３０では、１番ピンが発光ダイオード接続用端子ＭＣＴ２になっており、２番ピンがバイポーラNPNトランジスタ接続用端子ＭＣＴ３になっている。
ただし、１番ピン、２番ピン、７番ピン、９番ピン、１０番ピン、１２番ピン、１６番ピン、あるいは、１８番ピンを発光ダイオード接続用端子ＭＣＴ２、あるいは、２番ピンがバイポーラNPNトランジスタ接続用端子ＭＣＴ３のうちの一方、あるいは、両方の端子にすることができる。
【０１２４】
実施例４の電灯装置、および、ブザー装置を備えた装置３のマイコンＭＣがPIC16F628Aである際に、マイコンＭＣにインストールするためのプログラムには、ありとあらゆるものがあるが、実施例４の電灯装置、および、ブザー装置を備えた装置３のマイコンＭＣがPIC16F628Aである際に、マイコンＭＣにインストールするためのプログラムは、図３１、あるいは、図３２に記載されたプログラムであってもよい。
図３１、あるいは、図３２に記載されたプログラムは、Ｃ言語で記載されている。
図３１、あるいは、図３２に記載されたプログラムは、開発用ソフトウエアであるMPLAB  IDEを用いて開発しており、HI-TECH CをＣコンパイラに用いること目的にしている。
【０１２５】
図３１に記載されたプログラムの説明をする。
図３１に記載されたプログラムについては、図５に記載されたプログラムと異なる部分のみ説明する。
図３１の１９行目のfor(n=0;n<10;n++){は、図３１の１９行目から２３行目までのプログラムを１０回実行するように命令している。
図３１の２０行目のRA2=1;と図３１の２１行目のRA3=1;と図３１の２２行目の__delay_ms(9000);は、RA2とRA3から９秒間電流を送出することを命令している。
図３１の２３行目の}は、図３１の１９行目から始まるfor(n=0;n<10;n++){の命令が終了することを示している。
【０１２６】
実施例４の電灯装置、および、ブザー装置を備えた装置３のマイコンＭＣがPIC16F628Aである際に、マイコンＭＣに図３１に示すプログラムをインストールすると、マイコンＭＣは、図３１の１８行目から２４行目までのプログラムに基づいて、RB0に対応する６番ピンに電流が流れると、図３１の１８行目から２４行目までのプログラムを実行する。
実施例４の電灯装置、および、ブザー装置を備えた装置３のマイコンＭＣがPIC16F628Aである際に、マイコンＭＣに図３１に示すプログラムをインストールすると、マイコンＭＣは、図３１の１９行目から２３行目までのプログラムに基づいて、RB0に電流が流れると、RA2とRA3から９秒間電流を１０回送出するので、RA2とRA3から９０秒間電流を送出する。
図３０に示すように、RB0に対応する６番ピンは振動センサ接続用端子ＭＣＴ１になっており、RA2に対応する１番ピンは発光ダイオード接続用端子ＭＣＴ２になっており、RA3に対応する２番ピンはバイポーラNPNトランジスタ接続用端子ＭＣＴ３になっている。
【０１２７】
このため、実施例４の電灯装置、および、ブザー装置を備えた装置３のマイコンＭＣがPIC16F628Aである際に、マイコンＭＣに図３１に示すプログラムをインストールすると、マイコンＭＣは、図３１の１９行目から２３行目までのプログラムに基づいて、振動センサＳが振動を感知することによって、振動センサ第二端子Ｓ２から振動センサ接続用端子ＭＣＴ１に電流が流れると、発光ダイオード接続用端子ＭＣＴ２とバイポーラNPNトランジスタ接続用端子ＭＣＴ３から９０秒間電流を送出する。
マイコンＭＣは、発光ダイオード接続用端子ＭＣＴ２から９０秒間電流を送出すると、発光ダイオード接続用端子ＭＣＴ２から発光ダイオードアノード端子Ｄａに９０秒間電流が流れて、発光ダイオードＤは９０秒間点灯する。
マイコンＭＣは、バイポーラNPNトランジスタ接続用端子ＭＣＴ３から９０秒間電流を送出すると、バイポーラNPNトランジスタ接続用端子ＭＣＴ３からベース端子ＴｒＢに９０秒間電流が流れるので、正極接続端子Ｔ１とコレクタ端子ＴｒＣの間は９０秒間通電可能になることによって、正極接続端子Ｔ１とコレクタ端子ＴｒＣの間は９０秒間電流が流れるので、ブザーＢは９０秒間鳴る。
ただし、電解コンデンサＣの静電容量によっては、ブザーＢは、９０秒間の間に何回か鳴ることを停止することがある。
【０１２８】
図３０に示すように、実施例４の電灯装置、および、ブザー装置を備えた装置３のマイコンＭＣがPIC16F628Aである際に、PIC16F628Aの１番ピンを発光ダイオード接続用端子ＭＣＴ２にするために、図３１の２０行目にRA2=1;とプログラムされており、PIC16F628Aの２番ピンをバイポーラNPNトランジスタ接続用端子ＭＣＴ３にするために、図３１の２１行目にRA3=1;とプログラムされている。
ただし、図３１の２０行目にRA2=1;ではなく、RA3=1;、RB1=1;、RB3=1;、RB4=1;、RB6=1;、RA7=1;、あるいは、RA1=1;とプログラムすれば、実施例４の電灯装置、および、ブザー装置を備えた装置３のマイコンＭＣがPIC16F628Aである際に、PIC16F628Aの２番ピン、７番ピン、９番ピン、１０番ピン、１２番ピン、１６番ピン、あるいは、１８番ピンを発光ダイオード接続用端子ＭＣＴ２にすることができる。
また、図３１の２１行目にRA3=1;ではなくRA2=1;、RB1=1;、RB3=1;、RB4=1;、RB6=1;、RA7=1;、あるいは、RA1=1;とプログラムすれば、実施例４の電灯装置、および、ブザー装置を備えた装置３のマイコンＭＣがPIC16F628Aである際に、PIC16F628Aの１番ピン、７番ピン、９番ピン、１０番ピン、１２番ピン、１６番ピン、あるいは、１８番ピンをバイポーラNPNトランジスタ接続用端子ＭＣＴ３にすることができる。
【０１２９】
１番ピン、２番ピン、７番ピン、９番ピン、１０番ピン、１２番ピン、１６番ピン、あるいは、１８番ピンについては、このうちの１つを発光ダイオード接続用端子ＭＣＴ２、および、バイポーラNPNトランジスタ接続用端子ＭＣＴ３の両方の端子にすることもできる。
【０１３０】
図３２に記載されたプログラムの説明をする。
図３２に記載されたプログラムについては、図５に記載されたプログラムと異なる部分のみ説明する。
図３２の１９行目のfor(n=0;n<450;n++){は、図３２の１９行目から２６行目までのプログラムを４５０回実行するように命令している。
図３２の２０行目のRA2=1;と図３２の２１行目のRA3=1;と図３２の２２行目の__delay_ms(100);は、RA2とRA3から０.１秒間電流を送出することを命令している。
図３２の２３行目のRA2=0;とと図３２の２４行目のRA3=0;と図３２の２５行目の__delay_ms(100);は、RA2とRA3から０.１秒間電流を送出停止することを命令している。
図３２の２６行目の}は、図３２の１９行目から始まるfor(n=0;n<450;n++){の命令が終了することを示している。
【０１３１】
実施例４の電灯装置、および、ブザー装置を備えた装置３のマイコンＭＣがPIC16F628Aである際に、マイコンＭＣに図３２に示すプログラムをインストールすると、マイコンＭＣは、図３２の１８行目から２７行目までのプログラムに基づいて、RB0に対応する６番ピンに電流が流れると、図２３の１８行目から２７行目までのプログラムを実行する。
実施例４の電灯装置、および、ブザー装置を備えた装置３のマイコンＭＣがPIC16F628Aである際に、マイコンＭＣに図３２に示すプログラムをインストールすると、 マイコンＭＣは、図３２の１９行目から２６行目までのプログラムに基づいて、RB0に電流が流れると、RA2とRA3から０.１秒間電流を送出するのと、RA2とRA3から０.１秒間電流を送出停止するのを４５０回繰り返すので、RA2とRA3は、０.２秒×４５０回＝９０秒間電流の送出と送出停止を繰り返す。
図３０に示すように、RB0に対応する６番ピンは振動センサ接続用端子ＭＣＴ１になっており、RA2に対応する１番ピンは発光ダイオード接続用端子ＭＣＴ２になっており、RA3に対応する２番ピンはバイポーラNPNトランジスタ接続用端子ＭＣＴ３になっている。
【０１３２】
このため、実施例４の電灯装置、および、ブザー装置を備えた装置３のマイコンＭＣがPIC16F628Aである際に、マイコンＭＣに図３２に示すプログラムをインストールすると、マイコンＭＣは、図３２の図３２の１８行目から２７行目までのプログラムに基づいて、振動センサＳが振動を感知することによって、振動センサ第二端子Ｓ２から振動センサ接続用端子ＭＣＴ１に電流が流れると、発光ダイオード接続用端子ＭＣＴ２とバイポーラNPNトランジスタ接続用端子ＭＣＴ３から９０秒間電流の送出と送出停止を繰り返す。
マイコンＭＣは、発光ダイオード接続用端子ＭＣＴ２から９０秒間電流の送出と送出停止を繰り返すと、発光ダイオード接続用端子ＭＣＴ２から発光ダイオードアノード端子Ｄａに９０秒間電流が流れたり、流れなかったりするので、発光ダイオードＤは９０秒間点灯と消灯を繰り返す。
マイコンＭＣは、バイポーラNPNトランジスタ接続用端子ＭＣＴ３から９０秒間電流の送出と送出停止を繰り返すと、バイポーラNPNトランジスタ接続用端子ＭＣＴ３からベース端子ＴｒＢに９０秒間電流が流れたり、流れなかったりするので、正極接続端子Ｔ１とコレクタ端子ＴｒＣの間は９０秒間通電可能になったり、通電不能になることによって、正極接続端子Ｔ１とコレクタ端子ＴｒＣの間は９０秒間電流が流れたり、流れなかったりするので、ブザーＢは９０秒間鳴ることと鳴ることを停止することを繰り返す。
ただし、電解コンデンサＣの静電容量によっては、ブザーＢは、９０秒間の間に何回か鳴ることを停止することがある。
【０１３３】
図３０に示すように、実施例４の電灯装置、および、ブザー装置を備えた装置３のマイコンＭＣがPIC16F628Aである際に、PIC16F628Aの１番ピンを発光ダイオード接続用端子ＭＣＴ２にするために、図３２の２０行目にRA2=1;、２３行目にRA2=1;とプログラムされており、RA3に対応する２番ピンをバイポーラNPNトランジスタ接続用端子ＭＣＴ３にして用いるために、図３２の２１行目にRA3=1;、２４行目にRA3=0;とプログラムされている。
ただし、図２９の２０行目にRA2=1;ではなく、RA3=1;、RB1=1;、RB3=1;、RB4=1;、RB6=1;、RA7=1;、あるいは、RA1=1;とプログラムして、図２９の２３行目にRA2=0;ではなく、RA3=0;、RB1=0;、RB3=0;、RB4=0;、RB6=0;、RA7=0;、あるいは、RA1=0;とプログラムすれば、実施例４の電灯装置、および、ブザー装置を備えた装置３のマイコンＭＣがPIC16F628Aである際に、PIC16F628Aの２番ピン、７番ピン、９番ピン、１０番ピン、１２番ピン、１６番ピン、あるいは、１８番ピンを発光ダイオード接続用端子ＭＣＴ２にすることができる。
また、図２９の２１行目にRA3=1;ではなくRA2=1;、RB1=1;、RB3=1;、RB4=1;、RB6=1;、RA7=1;、あるいは、RA1=1;とプログラムして、図２９の２４行目にRA3=0;ではなくRA2=0;、RB1=0;、RB3=0;、RB4=0;、RB6=0;、RA7=0;、あるいは、RA1=0;とプログラムすれば、実施例４の電灯装置、および、ブザー装置を備えた装置３のマイコンＭＣがPIC16F628Aである際に、PIC16F628Aの１番ピン、７番ピン、９番ピン、１０番ピン、１２番ピン、１６番ピン、あるいは、１８番ピンをバイポーラNPNトランジスタ接続用端子ＭＣＴ３にすることができる。
【０１３４】
１番ピン、２番ピン、７番ピン、９番ピン、１０番ピン、１２番ピン、１６番ピン、あるいは、１８番ピンについては、このうちの１つを発光ダイオード接続用端子ＭＣＴ２、および、バイポーラNPNトランジスタ接続用端子ＭＣＴ３の両方の端子にすることもできる。
【０１３５】
図２８、図２９、図３０に示す実施例４の電灯装置、および、ブザー装置を備えた装置３のトランジスタＴｒや電解コンデンサＣの静電容量には、ありとあらゆるものがあるが、実施例４の電灯装置、および、ブザー装置を備えた装置３のトランジスタＴｒは、２ＳＣ１８１５、電解コンデンサＣの静電容量は１０μＦであってもよい。
【０１３６】
実施例４の電灯装置、および、ブザー装置を備えた装置３は、図２８に示す回路では、ブザーＢが鳴らない際には、図３３に示すように、コレクタ端子ＴｒＣと負極接続端子Ｔ２の間に、抵抗Ｒを接続すればよい。
図３３に示すように、抵抗第一端子Ｒ１とコレクタ端子ＴｒＣを接続して、抵抗第二端子Ｒ２と負極接続端子Ｔ２を接続すれば、コレクタ端子ＴｒＣと負極接続端子Ｔ２の間に、抵抗Ｒは接続される。
抵抗Ｒの抵抗値にも、ありとあらゆるものがあるが、実施例４の電灯装置、および、ブザー装置を備えた装置３の抵抗Ｒの抵抗値は、5.1Ωでもよい。
【０１３７】
実施例４の電灯装置、および、ブザー装置を備えた装置３は、図３４(ａ)に示すように、収納ケースＣＡの内部に設置する。
図３４(ｂ)に示すように、収納ケースＣＡは、ひもＳＴをドアノブＤＮに引っ掛けることによって、ドアノブＤＮに吊り下げて、図３４(ｃ)に示すように、ドアＤＯが開くと、振動センサＳは、振動を感知するので、振動センサ第一端子Ｓ１と振動センサ第二端子Ｓ２の間は、通電可能になるので、振動センサ第二端子Ｓ２から振動センサ接続用端子ＭＣＴ１に電流が流れる。
実施例４の電灯装置、および、ブザー装置を備えた装置３は、振動センサ第二端子Ｓ２から振動センサ接続用端子ＭＣＴ１に電流が流れると、マイコンＭＣは、発光ダイオード接続用端子ＭＣＴ２とバイポーラNPNトランジスタ接続用端子ＭＣＴ３から電流を送出する。
【０１３８】
マイコンＭＣは、発光ダイオード接続用端子ＭＣＴ２から電流を送出すると、発光ダイオード接続用端子ＭＣＴ２から発光ダイオードアノード端子Ｄａに電流が流れるので、発光ダイオードＤは、自動的に点灯する。
マイコンＭＣは、発光ダイオード接続用端子ＭＣＴ２から電流を送出停止すると、発光ダイオード接続用端子ＭＣＴ２から発光ダイオードアノード端子Ｄａには電流が流れなくなるので、発光ダイオードＤは、自動的に消灯する。
マイコンＭＣは、バイポーラNPNトランジスタ接続用端子ＭＣＴ３から電流を送出すると、バイポーラNPNトランジスタ接続用端子ＭＣＴ３からベース端子ＴｒＢに電流が流れるので、正極接続端子Ｔ１とコレクタ端子ＴｒＣの間は通電可能になって、正極接続端子Ｔ１からコレクタ端子ＴｒＣに電流が流れるので、ブザーＢは、自動的に鳴る。
マイコンＭＣは、バイポーラNPNトランジスタ接続用端子ＭＣＴ３から電流を送出停止すれば、バイポーラNPNトランジスタ接続用端子ＭＣＴ３からベース端子ＴｒＢには電流が流れなくなるので、正極接続端子Ｔ１とコレクタ端子ＴｒＣの間は通電不能になって、正極接続端子Ｔ１からコレクタ端子ＴｒＣには電流が流れなくなるので、ブザーＢは、自動的に鳴ることを停止する。
【０１３９】
このため、実施例４の電灯装置、および、ブザー装置を備えた装置３は、扉や壁などにスイッチを設置しなくても、発光ダイオードＤを自動的に点灯して一定時間点灯した後に、自動的に消灯させることができる。
また、実施例４の電灯装置、および、ブザー装置を備えた装置３は、振動センサＳだけで、ブザーＢを自動的に鳴らして一定時間鳴らした後に、自動的に鳴ることを停止させることができる。
【実施例５】
【０１４０】
実施例５も、電灯装置、および、ブザー装置を備えた装置３である。
【０１４１】
実施例５の電灯装置、および、ブザー装置を備えた装置３は、実施例４の電灯装置、および、ブザー装置を備えた装置３の変形例である。
実施例５の電灯装置、および、ブザー装置を備えた装置３は、第一発光ダイオードＤ１と第二発光ダイオードＤ２を備えており、実施例５の電灯装置、および、ブザー装置を備えた装置３のマイコンＭＣは、第一発光ダイオード接続用端子ＭＣＴ２１と第二発光ダイオード接続用端子ＭＣＴ２２を有している点が、実施例４の電灯装置、および、ブザー装置を備えた装置３とは異なる。
【０１４２】
実施例４の電灯装置、および、ブザー装置を備えた装置３の発光ダイオードＤは、実施例５の電灯装置、および、ブザー装置を備えた装置３では、図３５に示すように、第一発光ダイオードＤ１になっており、実施例４の電灯装置、および、ブザー装置を備えた装置３の発光ダイオード接続用端子ＭＣＴ２は、実施例５の電灯装置、および、ブザー装置を備えた装置３では、図３５に示すように、第一発光ダイオード接続用端子ＭＣＴ２１になっている。
実施例４の電灯装置、および、ブザー装置を備えた装置３の発光ダイオードアノード端子Ｄａは、実施例５の電灯装置、および、ブザー装置を備えた装置３では、図３５に示すように、第一発光ダイオードアノード端子Ｄ１ａになっている。
実施例４の電灯装置、および、ブザー装置を備えた装置３の発光ダイオードカソード端子Ｄｋは、実施例５の電灯装置、および、ブザー装置を備えた装置３では、図３５に示すように、第一発光ダイオードカソード端子Ｄ１ｋになっている。
【０１４３】
第二発光ダイオードアノード端子Ｄ２ａは、図３５に示すように、第二発光ダイオード接続用端子ＭＣＴ２２と接続されている。
第二発光ダイオードカソード端子Ｄ２ｋは、図３５に示すように、負極接続端子Ｔ２と接続されている。
【０１４４】
図３６においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、実施例５の電灯装置、および、ブザー装置を備えた装置３は、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
図３６においては、第一発光ダイオードカソード端子Ｄ１ｋと負極接続端子Ｔ２を結ぶ線と正極接続端子Ｔ１と電解コンデンサ正極端子Ｃ１、および、ブザー第一端子Ｂ１を結ぶ線は交差しているが、実施例５の電灯装置、および、ブザー装置を備えた装置３は、第一発光ダイオードカソード端子Ｄ１ｋと負極接続端子Ｔ２を結ぶ電線と正極接続端子Ｔ１と電解コンデンサ正極端子Ｃ１、および、ブザー第一端子Ｂ１を結ぶ電線は接続も接触もしていない。
図３６においては、第二発光ダイオードカソード端子Ｄ２ｋと負極接続端子Ｔ２を結ぶ線と正極接続端子Ｔ１と電解コンデンサ正極端子Ｃ１、および、ブザー第一端子Ｂ１を結ぶ線は交差しているが、実施例５の電灯装置、および、ブザー装置を備えた装置３は、第二発光ダイオードカソード端子Ｄ２ｋと負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【０１４５】
実施例５の電灯装置、および、ブザー装置を備えた装置３の発光ダイオードＤを点灯させて、ブザーＢを鳴らすためには、図３６に示すように、実施例５の電灯装置、および、ブザー装置を備えた装置３と電池ＢＴを接続しなければならない。
【０１４６】
実施例５の電灯装置、および、ブザー装置を備えた装置３のマイコンＭＣには、ありとあらゆるものがあるが、実施例５の電灯装置、および、ブザー装置を備えた装置３のマイコンＭＣは、図３７に示すように、PIC16F628Aであってもよい。
【０１４７】
図３７においては、振動センサ第二端子Ｓ２と負極接続端子Ｔ２を結ぶ線と正極接続端子Ｔ１と電解コンデンサ正極端子Ｃ１、および、ブザー第一端子Ｂ１を結ぶ線は交差しているが、実施例５の電灯装置、および、ブザー装置を備えた装置３は、マイコンＭＣがPIC16F628Aであっても、振動センサ第二端子Ｓ２と負極接続端子Ｔ２を結ぶ電線と正極接続端子Ｔ１と電解コンデンサ正極端子Ｃ１、および、ブザー第一端子Ｂ１を結ぶ電線は接続も接触もしていない。
図３７においては、負極接続端子接続用端子Ｖｓｓと負極接続端子Ｔ２を結ぶ線と正極接続端子Ｔ１と電解コンデンサ正極端子Ｃ１、および、ブザー第一端子Ｂ１を結ぶ線は交差しているが、実施例５の電灯装置、および、ブザー装置を備えた装置３は、マイコンＭＣがPIC16F628Aであっても、負極接続端子接続用端子Ｖｓｓと負極接続端子Ｔ２を結ぶ電線と正極接続端子Ｔ１と電解コンデンサ正極端子Ｃ１、および、ブザー第一端子Ｂ１を結ぶ電線は接続も接触もしていない。
【０１４８】
図３７では、１番ピンが第一発光ダイオード接続用端子ＭＣＴ２１になっており、１８番ピンが第二発光ダイオード接続用端子ＭＣＴ２２になっており、２番ピンがバイポーラNPNトランジスタ接続用端子ＭＣＴ３になっている。
ただし、１番ピン、２番ピン、７番ピン、９番ピン、１０番ピン、１２番ピン、１６番ピン、あるいは、１８番ピンを第一発光ダイオード接続用端子ＭＣＴ２１、第二発光ダイオード接続用端子ＭＣＴ２２、あるいは、バイポーラNPNトランジスタ接続用端子ＭＣＴ３のうちのいずれか２つ、あるいは、すべての端子にすることができる。
【０１４９】
実施例５の電灯装置、および、ブザー装置を備えた装置３のマイコンＭＣがPIC16F628Aである際に、マイコンＭＣにインストールするためのプログラムには、ありとあらゆるものがあるが、実施例５の電灯装置、および、ブザー装置を備えた装置３のマイコンＭＣがPIC16F628Aである際に、マイコンＭＣにインストールするためのプログラムは、図３８、あるいは、図３９、および、図４０に記載されたプログラムであってもよい。
図３８、あるいは、図３９、および、図４０に記載されたプログラムは、Ｃ言語で記載されている。
図３９、および、図４０に記載されたプログラムは、１つのプログラムである。
図３８、あるいは、図３９、および、図４０に記載されたプログラムは、開発用ソフトウエアであるMPLAB  IDEを用いて開発しており、HI-TECH CをＣコンパイラに用いること目的にしている。
【０１５０】
図３８に記載されたプログラムの説明をする。
図３８に記載されたプログラムについては、図５に記載されたプログラムと異なる部分のみ説明する。
図３８の１９行目のfor(n=0;n<10;n++){は、図３８の１９行目から２４行目までのプログラムを１０回実行するように命令している。
図３８の２０行目のRA2=1;と図３８の２１行目のRA1=1;と図３８の２２行目のRA3=1;と図３８の２３行目の__delay_ms(9000);は、RA2とRA1とRA3から９秒間電流を送出することを命令している。
図３８の２４行目の}は、図３８の１９行目から始まるfor(n=0;n<10;n++){の命令が終了することを示している。
図３８の２５行目のfor(n=0;n<10;n++){は、図３８の２５行目から３０行目までのプログラムを１０回実行するように命令している。
図３８の２６行目のRA2=1;と図３８の２７行目のRA1=0;と図３８の２８行目のRA3=1;と図３８の２９行目の__delay_ms(9000);は、RA2から９秒間電流を送出して、RA1から９秒間電流を送出停止して、RA3から９秒間電流を送出することを命令している。
図３８の３０行目の}は、図３８の２５行目から始まるfor(n=0;n<10;n++){の命令が終了することを示している。
【０１５１】
実施例５の電灯装置、および、ブザー装置を備えた装置３のマイコンＭＣがPIC16F628Aである際に、マイコンＭＣに図３８に示すプログラムをインストールすると、マイコンＭＣは、図３８の１８行目から３１行目までのプログラムに基づいて、RB0に対応する６番ピンに電流が流れると、図３８の１８行目から３１行目までのプログラムを実行する。
実施例５の電灯装置、および、ブザー装置を備えた装置３のマイコンＭＣがPIC16F628Aである際に、マイコンＭＣに図３８に示すプログラムをインストールすると、マイコンＭＣは、図３８の１９行目から２４行目までのプログラムに基づいて、RB0に電流が流れると、RA2、RA1、および、RA3から９秒間電流を１０回送出するので、RA2、RA1、および、RA3から９０秒間電流を送出する。
次に、マイコンＭＣは、図３８の２５行目から３０行目までのプログラムに基づいて、RA2から９秒間電流を１０回送出し、RA1から９秒間電流を１０回送出停止し、RA3から９秒間電流を１０回送出するので、RA2から９０秒間電流を送出し、RA1から９０秒間電流を送出停止し、RA3から９０秒間電流を送出する。
図３７に示すように、RB0に対応する６番ピンは振動センサ接続用端子ＭＣＴ１になっており、RA2に対応する１番ピンは第一発光ダイオード接続用端子ＭＣＴ２１になっており、RA3に対応する２番ピンはバイポーラNPNトランジスタ接続用端子ＭＣＴ３になっており、RA1に対応する１８番ピンは第二発光ダイオード接続用端子ＭＣＴ２２になっている。
【０１５２】
このため、実施例５の電灯装置、および、ブザー装置を備えた装置３のマイコンＭＣがPIC16F628Aである際に、マイコンＭＣに図３８に示すプログラムをインストールすると、マイコンＭＣは、振動センサＳが振動を感知することによって、振動センサ第二端子Ｓ２から振動センサ接続用端子ＭＣＴ１に電流が流れると、図３８の１９行目から２４行目までのプログラムに基づいて、第一発光ダイオード接続用端子ＭＣＴ２１と第二発光ダイオード接続用端子ＭＣＴ２２とバイポーラNPNトランジスタ接続用端子ＭＣＴ３から９０秒間電流を送出する。
マイコンＭＣは、第一発光ダイオード接続用端子ＭＣＴ２１から９０秒間電流を送出すると、第一発光ダイオード接続用端子ＭＣＴ２１から第一発光ダイオードアノード端子Ｄ１ａに９０秒間電流が流れるので、第一発光ダイオードＤ１は９０秒間点灯する。
マイコンＭＣは、第二発光ダイオード接続用端子ＭＣＴ２２から９０秒間電流を送出すると、第二発光ダイオード接続用端子ＭＣＴ２２から第二発光ダイオードアノード端子Ｄ２ａに９０秒間電流が流れるので、第二発光ダイオードＤ２は９０秒間点灯する。
マイコンＭＣは、バイポーラNPNトランジスタ接続用端子ＭＣＴ３から９０秒間電流を送出すると、バイポーラNPNトランジスタ接続用端子ＭＣＴ３からベース端子ＴｒＢに９０秒間電流が流れるので、正極接続端子Ｔ１とコレクタ端子ＴｒＣの間は９０秒間通電可能になることによって、正極接続端子Ｔ１とコレクタ端子ＴｒＣの間は９０秒間電流が流れるので、ブザーＢは９０秒間鳴る。
ただし、電解コンデンサＣの静電容量によっては、ブザーＢは、９０秒間の間に何回か鳴ることを停止することがある。
【０１５３】
次に、マイコンＭＣは、図３４の２５行目から３０行目までのプログラムに基づいて、第一発光ダイオード接続用端子ＭＣＴ２１から９０秒間電流を送出して、第二発光ダイオード接続用端子ＭＣＴ２２から９０秒間電流を送出停止して、バイポーラNPNトランジスタ接続用端子ＭＣＴ３から９０秒間電流を送出する。
マイコンＭＣは、第一発光ダイオード接続用端子ＭＣＴ２１から９０秒間電流を送出すると、第一発光ダイオード接続用端子ＭＣＴ２１から第一発光ダイオードアノード端子Ｄ１ａに９０秒間電流が流れるので、第一発光ダイオードＤ１は９０秒間点灯する。
マイコンＭＣは、第二発光ダイオード接続用端子ＭＣＴ２２から９０秒間電流を送出停止すると、第二発光ダイオード接続用端子ＭＣＴ２２から第二発光ダイオードアノード端子Ｄ２ａに９０秒間電流が流れないので、第二発光ダイオードＤ２は９０秒間消灯する。
マイコンＭＣは、バイポーラNPNトランジスタ接続用端子ＭＣＴ３から９０秒間電流を送出すると、バイポーラNPNトランジスタ接続用端子ＭＣＴ３からベース端子ＴｒＢに９０秒間電流が流れるので、正極接続端子Ｔ１とコレクタ端子ＴｒＣの間は９０秒間通電可能になることによって、正極接続端子Ｔ１とコレクタ端子ＴｒＣの間は９０秒間電流が流れるので、ブザーＢは９０秒間鳴る。
ただし、電解コンデンサＣの静電容量によっては、ブザーＢは、９０秒間の間に何回か鳴ることを停止することがある。
【０１５４】
ただし、図３８の２６行目はRA2=0;として、図３８の２７行目はRA1=1;とすれば、マイコンＭＣは、図３８の２５行目から３０行目までのプログラムに基づいて、第一発光ダイオード接続用端子ＭＣＴ２１から９０秒間電流を送出停止して、第二発光ダイオード接続用端子ＭＣＴ２２から９０秒間電流を送出して、バイポーラNPNトランジスタ接続用端子ＭＣＴ３から９０秒間電流を送出する。
マイコンＭＣは、第一発光ダイオード接続用端子ＭＣＴ２１から９０秒間電流を送出停止すると、第一発光ダイオード接続用端子ＭＣＴ２１から第一発光ダイオードアノード端子Ｄ１ａに９０秒間電流が流れないので、第一発光ダイオードＤ１は９０秒間消灯する。
マイコンＭＣは、第二発光ダイオード接続用端子ＭＣＴ２２から９０秒間電流を送出すると、第二発光ダイオード接続用端子ＭＣＴ２２から第二発光ダイオードアノード端子Ｄ２ａに９０秒間電流が流れるので、第二発光ダイオードＤ２は９０秒間点灯する。
【０１５５】
また、図３８の２８行目はRA3=0;にすれば、実施例５の電灯装置、および、ブザー装置を備えた装置３のマイコンＭＣは、図３８の２５行目から３０行目までのプログラムに基づいて、バイポーラNPNトランジスタ接続用端子ＭＣＴ３から９０秒間電流を送出すると、バイポーラNPNトランジスタ接続用端子ＭＣＴ３からベース端子ＴｒＢに９０秒間電流が流れるので、正極接続端子Ｔ１とコレクタ端子ＴｒＣの間は９０秒間通電可能になることによって、正極接続端子Ｔ１とコレクタ端子ＴｒＣの間は９０秒間電流が流れるので、ブザーＢは９０秒間鳴る。
【０１５６】
図３７に示すように、実施例４の電灯装置、および、ブザー装置を備えた装置３のマイコンＭＣがPIC16F628Aである際に、PIC16F628Aの１番ピンを発光ダイオード接続用端子ＭＣＴ２にするために、図３８の２０行目にRA2=1;、２６行目にRA2=1;とプログラムされており、PIC16F628Aの１８番ピンを第二発光ダイオード接続用端子ＭＣＴ２２にするために、図３８の２１行目にRA1=1;、２７行目にRA1=0;とプログラムされており、PIC16F628Aの２番ピンをバイポーラNPNトランジスタ接続用端子ＭＣＴ３にするために、図３８の２２行目にRA3=1;、２８行目にRA3=1;とプログラムされている。
【０１５７】
ただし、図３８の２０行目と２６行目にRA2=1;ではなく、RA3=1;、RB1=1;、RB3=1;、RB4=1;、RB6=1;、RA7=1;、あるいは、RA1=1;とプログラムとプログラムすれば、実施例５の電灯装置、および、ブザー装置を備えた装置３のマイコンＭＣがPIC16F628Aである際に、PIC16F628Aの２番ピン、７番ピン、９番ピン、１０番ピン、１２番ピン、１６番ピン、あるいは、１８番ピンを第一発光ダイオード接続用端子ＭＣＴ２１にすることができる。
また、図３８の２１行目にRA1=1;ではなくRA2=1;、RA3=1;、RB1=1;、RB3=1;、RB4=1;、RB6=1;、あるいは、RA7=1;とプログラムして、図３８の２７行目にRA1=0;ではなくRA2=0;、RA3=1;、RB1=0;、RB3=0;、RB4=0;、RB6=0;、RA7=0;、あるいは、RA1=0;とプログラムすれば、実施例５の電灯装置、および、ブザー装置を備えた装置３のマイコンＭＣがPIC16F628Aである際に、PIC16F628Aの１番ピン、２番ピン、７番ピン、９番ピン、１０番ピン、１２番ピン、あるいは、１６番ピンを第二発光ダイオード接続用端子ＭＣＴ２２にすることができる。
さらに、図３８の２２行目にRA3=1;ではなくRA2=1;、RB1=1;、RB3=1;、RB4=1;、RB6=1;、RA7=1;、あるいは、RA1=1;とプログラムして、図３８の２８行目にRA3=0;ではなくRA2=0;、RB1=0;、RB3=0;、RB4=0;、RB6=0;、RA7=0;、あるいは、RA1=0;とプログラムすれば、実施例５の電灯装置、および、ブザー装置を備えた装置３のマイコンＭＣがPIC16F628Aである際に、PIC16F628Aの１番ピン、７番ピン、９番ピン、１０番ピン、１２番ピン、１６番ピン、あるいは、１８番ピンをバイポーラNPNトランジスタ接続用端子ＭＣＴ３にすることができる。
【０１５８】
１番ピン、２番ピン、７番ピン、９番ピン、１０番ピン、１２番ピン、１６番ピン、あるいは、１８番ピンについては、このうちの１つを第一発光ダイオード接続用端子ＭＣＴ２１、第二発光ダイオード接続用端子ＭＣＴ２２、あるいは、バイポーラNPNトランジスタ接続用端子ＭＣＴ３のうちのいずれか２つ、あるいは、すべての端子にすることもできる。
【０１５９】
図３９、および、図４０に記載されたプログラムの説明をする。
図３９、および、図４０に記載されたプログラムについては、図５に記載されたプログラムと異なる部分のみ説明する。
図３９の１９行目のfor(n=0;n<450;n++){は、図３９の１９行目から３２行目までのプログラムを４５０回実行するように命令している。
図３９の２０行目のRA2=1;と図３９の２１行目の__delay_ms(100);は、RA2から０.１秒間電流を送出することを命令している。
図３９の２２行目のRA2=0;と図３９の２３行目の__delay_ms(100);は、RA2からは０.１秒間電流を送出停止することを命令している。
図３９の２４行目のRA1=1;と図３９の２５行目の__delay_ms(100);は、RA1から０.１秒間電流を送出することを命令している。
図３９の２６行目のRA1=0;と図３９の２７行目の__delay_ms(100);は、RA1からは０.１秒間電流を送出停止することを命令している。
図３９の２８行目のRA3=1;と図３９の２９行目の__delay_ms(100);は、RA3から０.１秒間電流を送出することを命令している。
図３９の３０行目のRA3=0;と図３９の３１行目の__delay_ms(100);は、RA3からは０.１秒間電流を送出停止することを命令している。
図３９の３２行目の}は、図３９の１９行目から始まるfor(n=0;n<450;n++){の命令が終了することを示している。
【０１６０】
図３９の３３行目のfor(n=0;n<225;n++){は、図３９の３３行目から３８行目までのプログラムを２２５回実行するように命令している。
図３９の３４行目のRA2=1;と図３９の３５行目の__delay_ms(100);は、RA2から０.１秒間電流を送出することを命令している。
図３９の３６行目のRA2=0;と図３９の３７行目の__delay_ms(100);は、RA2からは０.１秒間電流を送出停止することを命令している。
図３９の３８行目の}は、図３９の３３行目から始まるfor(n=0;n<225;n++){の命令が終了することを示している。
【０１６１】
図３９の３９行目のfor(n=0;n<225;n++){は、図３９の３９行目から図４０の５行目までのプログラムを２２５回実行するように命令している。
図４０の１行目のRA1=1;と図４０の２行目の__delay_ms(100);は、RA1から０.１秒間電流を送出することを命令している。
図４０の３行目のRA1=0;と図４０の４行目の__delay_ms(100);は、RA1からは０.１秒間電流を送出停止することを命令している。
図４０の５行目の}は、図３９の３９行目から始まるfor(n=0;n<225;n++){の命令が終了することを示している。
【０１６２】
図４０の６行目のfor(n=0;n<225;n++){は、図４０の６行目から図４０の１１行目までのプログラムを２２５回実行するように命令している。
図４０の７行目のRA3=1;と図４０の８行目の__delay_ms(100);は、RA3から０.１秒間電流を送出することを命令している。
図４０の９行目のRA3=0;と図４０の１０行目の__delay_ms(100);は、RA3からは０.１秒間電流を送出停止することを命令している。
図４０の１１行目の}は、図３６の６行目から始まるfor(n=0;n<225;n++){の命令が終了することを示している。
【０１６３】
実施例５の電灯装置、および、ブザー装置を備えた装置３のマイコンＭＣがPIC16F628Aである際に、マイコンＭＣに図３９、および、図４０に示すプログラムをインストールすると、マイコンＭＣは、図３９の１８行目から図４０の１２行目までのプログラムに基づいて、RB0に対応する６番ピンに電流が流れると、図３９の１８行目から図４０の１２行目までのプログラムを実行する。
マイコンＭＣは、RB0に対応する６番ピンに電流が流れると、図３９の１９行目から３２行目までのプログラムに基づいて、RA2、RA1、および、RA3から０.１秒間電流を送出するのと、０.１秒間電流を送出停止するのを繰り返すので、RA2、RA1、および、RA3は、０.６秒×４５０回＝２７０秒間電流の送出と送出停止を繰り返す。
次に、マイコンＭＣは、図３９の３３行目から３８行目までのプログラムに基づいて、RA2から０.１秒間電流を送出するのと、０.１秒間電流を送出停止するのを繰り返すので、RA2は、０.２秒×２２５回＝４５秒間電流の送出と送出停止を繰り返す。
この次に、マイコンＭＣは、図３９の３９行目から図４０の５行目までのプログラムに基づいて、RA1から０.１秒間電流を送出するのと、０.１秒間電流を送出停止するのを繰り返すので、RA1は、０.２秒×２２５回＝４５秒間電流の送出と送出停止を繰り返す。
さらに、この次に、マイコンＭＣは、図４０の６行目から図４０の１１行目までのプログラムに基づいて、RA3から０.１秒間電流を送出するのと、０.１秒間電流を送出停止するのを繰り返すので、RA3は、０.２秒×２２５回＝４５秒間電流の送出と送出停止を繰り返す。
【０１６４】
図３７に示すように、RB0に対応する６番ピンは振動センサ接続用端子ＭＣＴ１になっており、RA2に対応する１番ピンは第一発光ダイオード接続用端子ＭＣＴ２１になっており、RA1に対応する１８番ピンは第二発光ダイオード接続用端子ＭＣＴ２２になっており、RA3に対応する２番ピンはバイポーラNPNトランジスタ接続用端子ＭＣＴ３になっている。
【０１６５】
このため、実施例５の電灯装置、および、ブザー装置を備えた装置３のマイコンＭＣがPIC16F628Aである際に、マイコンＭＣに図３９、および、図４０に示すプログラムをインストールすると、マイコンＭＣは、振動センサＳが振動を感知することによって、振動センサ第二端子Ｓ２から振動センサ接続用端子ＭＣＴ１に電流が流れると、図３９の１９行目から３２行目までのプログラムに基づいて、第一発光ダイオード接続用端子ＭＣＴ２１と第二発光ダイオード接続用端子ＭＣＴ２２とバイポーラNPNトランジスタ接続用端子ＭＣＴ３から２７０秒間電流の送出と送出停止を繰り返す。
【０１６６】
マイコンＭＣは、第一発光ダイオード接続用端子ＭＣＴ２１から２７０秒間電流の送出と送出停止を繰り返すと、第一発光ダイオード接続用端子ＭＣＴ２１から第一発光ダイオードアノード端子Ｄ１ａに２７０秒間電流が流れたり、流れなかったりするので、第一発光ダイオードＤ１は２７０秒間点灯と消灯を繰り返す。
マイコンＭＣは、第二発光ダイオード接続用端子ＭＣＴ２２から２７０秒間電流の送出と送出停止を繰り返すと、第二発光ダイオード接続用端子ＭＣＴ２２から第二発光ダイオードアノード端子Ｄ２ａに２７０秒間電流が流れたり、流れなかったりするので、第二発光ダイオードＤ２は２７０秒間点灯と消灯を繰り返す。
マイコンＭＣは、バイポーラNPNトランジスタ接続用端子ＭＣＴ３から２７０秒間電流の送出と送出停止を繰り返すと、バイポーラNPNトランジスタ接続用端子ＭＣＴ３からベース端子ＴｒＢに２７０秒間電流が流れたり、流れなかったりするので、正極接続端子Ｔ１とコレクタ端子ＴｒＣの間は２７０秒間通電可能になったり、通電不能になることによって、正極接続端子Ｔ１とコレクタ端子ＴｒＣの間は２７０秒間電流が流れたり、流れなかったりするので、ブザーＢは２７０秒間鳴ることと鳴ることを停止することを繰り返す。
ただし、電解コンデンサＣの静電容量によっては、ブザーＢは、２７０秒間の間に何回か鳴ることを停止することがある。
【０１６７】
次に、マイコンＭＣは、図３９の３３行目から３８行目までのプログラムに基づいて、第一発光ダイオード接続用端子ＭＣＴ２１から４５秒間電流の送出と送出停止を繰り返すと、第一発光ダイオード接続用端子ＭＣＴ２１から第一発光ダイオードアノード端子Ｄ１ａに４５秒間電流が流れたり、流れなかったりするので、第一発光ダイオードＤ１は４５秒間点灯と消灯を繰り返す。
【０１６８】
この次に、マイコンＭＣは、図３９の３９行目から図４０の５行目までのプログラムに基づいて、第二発光ダイオード接続用端子ＭＣＴ２２から４５秒間電流の送出と送出停止を繰り返すと、第二発光ダイオード接続用端子ＭＣＴ２２から第二発光ダイオードアノード端子Ｄ２ａに４５秒間電流が流れたり、流れなかったりするので、第二発光ダイオードＤ２は４５秒間点灯と消灯を繰り返す。
【０１６９】
さらに、この次に、マイコンＭＣは、図４０の６行目から図４０の１１行目までのプログラムに基づいて、バイポーラNPNトランジスタ接続用端子ＭＣＴ３から４５秒間電流の送出と送出停止を繰り返すと、バイポーラNPNトランジスタ接続用端子ＭＣＴ３からベース端子ＴｒＢに４５秒間電流が流れたり、流れなかったりするので、正極接続端子Ｔ１とコレクタ端子ＴｒＣの間は４５秒間通電可能になったり、通電不能になることによって、正極接続端子Ｔ１とコレクタ端子ＴｒＣの間は４５秒間電流が流れたり、流れなかったりするので、ブザーＢは４５秒間鳴ることと鳴ることを停止することを繰り返す。
ただし、電解コンデンサＣの静電容量によっては、ブザーＢは、４５秒間の間に何回か鳴ることを停止することがある。
【０１７０】
図３７に示すように、実施例４の電灯装置、および、ブザー装置を備えた装置３のマイコンＭＣがPIC16F628Aである際に、PIC16F628Aの１番ピンを第一発光ダイオード接続用端子ＭＣＴ２１にするために、図３９の２０行目と３４行目にRA2=1;、図３９の２２行目と３６行目にRA2=0;とプログラムされており、PIC16F628Aの１８番ピンを第二発光ダイオード接続用端子ＭＣＴ２２にするために、図３９の２４行目と図の４０の１行目にRA1=1;、図３９の２６行目と図４０の３行目にRA1=0;とプログラムされており、PIC16F628Aの２番ピンをバイポーラNPNトランジスタ接続用端子ＭＣＴ３にするために、図３９の２８行目と図４０の７行目にRA3=1;、図３９の３０行目と図４０の９行目にRA3=0;とプログラムされている。
【０１７１】
ただし、図３９の２０行目と３４行目に、RA2=1;ではなく、RA3=1;、RB1=1;、RB3=1;、RB4=1;、RB6=1;、RA7=1;、あるいは、RA1=1;とプログラムして、図３９の２２行目と３６行目に、RA2=0;ではなく、RA3=0;、RB1=0;、RB3=0;、RB4=0;、RB6=0;、RA7=0;、あるいは、RA1=0;とプログラムすれば、２番ピン、７番ピン、９番ピン、１０番ピン、１２番ピン、１６番ピン、あるいは、１８番ピンを第一発光ダイオード接続用端子ＭＣＴ２１にすることができる。
また、図３９の２４行目と図４０の１行目に、RA1=1;ではなく、RA2=1;、RA3=1;、RB1=1;、RB3=1;、RB4=1;、RB6=1;、あるいは、RA7=1;とプログラムして、図３９の２６行目と図４０の３行目に、RA1=0;ではなく、RA3=0;、RB1=0;、RB3=0;、RB4=0;、RB6=0;、あるいは、RA7=0;とプログラムすれば、１番ピン、２番ピン、７番ピン、９番ピン、１０番ピン、１２番ピン、１６番ピンを第二発光ダイオード接続用端子ＭＣＴ２２にすることができる。
さらに、図３９の２８行目と図４０の７行目に、RA3=1;ではなく、RA2=1;、RB1=1;、RB3=1;、RB4=1;、RB6=1;、RA7=1;、あるいは、RA1=1;とプログラムして、図３９の３０行目と図４０の９行目に、RA3=0;ではなく、RA2=0;、RB1=0;、RB3=0;、RB4=0;、RB6=0;、RA7=0;、あるいは、RA1=0;とプログラムすれば、１番ピン、７番ピン、９番ピン、１０番ピン、１２番ピン、１６番ピン、あるいは、１８番ピンをバイポーラNPNトランジスタ接続用端子ＭＣＴ３にすることができる。
【０１７２】
１番ピン、２番ピン、７番ピン、９番ピン、１０番ピン、１２番ピン、１６番ピン、あるいは、１８番ピンについては、このうちの１つを第一発光ダイオード接続用端子ＭＣＴ２１、第二発光ダイオード接続用端子ＭＣＴ２２、あるいは、バイポーラNPNトランジスタ接続用端子ＭＣＴ３のうちのいずれか２つ、あるいは、すべての端子にすることもできる。
【０１７３】
実施例５の電灯装置、および、ブザー装置を備えた装置３は、図４１(ａ)に示すように、収納ケースＣＡの内部に設置する。
図４１(ｂ)に示すように、収納ケースＣＡは、ひもＳＴをドアノブＤＮに引っ掛けることによって、ドアノブＤＮに吊り下げて、図４１(ｃ)に示すように、ドアＤＯが開くと、振動センサＳは、振動を感知するので、振動センサ第一端子Ｓ１と振動センサ第二端子Ｓ２の間は、通電可能になるので、振動センサ第二端子Ｓ２から振動センサ接続用端子ＭＣＴ１に電流が流れる。
振動センサ第二端子Ｓ２から振動センサ接続用端子ＭＣＴ１に電流が流れると、実施例５の電灯装置、および、ブザー装置を備えた装置３のマイコンＭＣは、第一発光ダイオード接続用端子ＭＣＴ２１と第二発光ダイオード接続用端子ＭＣＴ２２とバイポーラNPNトランジスタ接続用端子ＭＣＴ３から電流を送出する。
【０１７４】
実施例５の電灯装置、および、ブザー装置を備えた装置３のマイコンＭＣは、第一発光ダイオード接続用端子ＭＣＴ２１から電流を送出すると、第一発光ダイオード接続用端子ＭＣＴ２１から第一発光ダイオードアノード端子Ｄ１ａに電流が流れるので、第一発光ダイオードＤ１は、自動的に点灯する。
実施例５の電灯装置、および、ブザー装置を備えた装置３のマイコンＭＣは、第二発光ダイオード接続用端子ＭＣＴ２２から電流を送出すると、第二発光ダイオード接続用端子ＭＣＴ２２から第二発光ダイオードアノード端子Ｄ２ａに電流が流れるので、第二発光ダイオードＤ２は、自動的に点灯する。
実施例５の電灯装置、および、ブザー装置を備えた装置３のマイコンＭＣは、バイポーラNPNトランジスタ接続用端子ＭＣＴ３から電流を送出すると、バイポーラNPNトランジスタ接続用端子ＭＣＴ３からベース端子ＴｒＢに電流が流れるので、正極接続端子Ｔ１とコレクタ端子ＴｒＣの間は通電可能になって、正極接続端子Ｔ１からコレクタ端子ＴｒＣに電流が流れるので、ブザーＢは、自動的に鳴る。
【０１７５】
実施例５の電灯装置、および、ブザー装置を備えた装置３のマイコンＭＣは、第一発光ダイオード接続用端子ＭＣＴ２１から電流を送出停止すると、第一発光ダイオード接続用端子ＭＣＴ２１から第一発光ダイオードアノード端子Ｄ１ａには電流が流れなくなるので、第一発光ダイオードＤ１は、自動的に消灯する。
実施例５の電灯装置、および、ブザー装置を備えた装置３のマイコンＭＣは、第二発光ダイオード接続用端子ＭＣＴ２２から電流を送出停止すると、第二発光ダイオード接続用端子ＭＣＴ２２から第二発光ダイオードアノード端子Ｄ２ａには電流が流れなくなるので、第二発光ダイオードＤ２は、自動的に消灯する。
実施例５の電灯装置、および、ブザー装置を備えた装置３のマイコンＭＣは、バイポーラNPNトランジスタ接続用端子ＭＣＴ３から電流を送出停止すれば、バイポーラNPNトランジスタ接続用端子ＭＣＴ３からベース端子ＴｒＢには電流が流れなくなるので、正極接続端子Ｔ１とコレクタ端子ＴｒＣの間は通電不能になって、正極接続端子Ｔ１からコレクタ端子ＴｒＣには電流が流れなくなるので、ブザーＢは、自動的に鳴ることを停止する。
【０１７６】
このため、実施例５の電灯装置、および、ブザー装置を備えた装置３は、扉や壁などにスイッチを設置しなくても、第一発光ダイオードＤ１と第二発光ダイオードＤ２を自動的に点灯して一定時間点灯した後に、自動的に消灯させることができる。
また、実施例５の電灯装置、および、ブザー装置を備えた装置３は、振動センサＳだけで、ブザーＢを自動的に鳴らして一定時間鳴らした後に、自動的に鳴ることを停止させることができる。
【図面の簡単な説明】
【０１７７】
【図１】実施例１の電灯装置１の回路図である。
【図２】実施例１の電灯装置１と電池ＢＴを接続した状態を示す回路図である。
【図３】実施例１の電灯装置１のマイコンＭＣがPIC16F628Aである際の回路図である。
【図４】(ａ)PIC16F628Aのピン配置を示した図である。(ｂ)PORTAのビットを示した図である。(ｃ)PORTBのビットを示した図である。
【図５】実施例１の電灯装置１のマイコンＭＣがPIC16F628Aである際にマイコンＭＣにインストールする発光ダイオードＤを点灯させるためのプログラムである。
【図６】実施例１の電灯装置１のマイコンＭＣがPIC16F628Aである際にマイコンＭＣにインストールする発光ダイオードＤに点灯と消灯を繰り返させるためのプログラムである。
【図７】(ａ)第一金属球内蔵振動センサＳａを箱体第一側面Ｓｃａａ側から見た図である。(ｂ)第一金属球内蔵振動センサＳａを箱体第二側面Ｓｃａｂ側から見た図である。(ｃ)第一金属球内蔵振動センサＳａを箱体第二側面Ｓｃａｂ側から見た断面図である。(ｄ)金属球Ｓｃｂが金属球内蔵振動センサ第一金属線Ｓｃｅと接触した状態を示す第一金属球内蔵振動センサＳａの断面図である。(ｅ)金属球Ｓｃｂが金属球内蔵振動センサ第一金属線Ｓｃｅと接触しなくなった状態を示す第一金属球内蔵振動センサＳａの断面図である。
【図８】(ａ)第二金属球内蔵振動センサＳｂを箱体第一側面Ｓｃａａ側から見た図である。(ｂ)第二金属球内蔵振動センサＳｂを箱体第二側面Ｓｃａｂ側から見た図である。(ｃ)第二金属球内蔵振動センサＳｂを箱体第二側面Ｓｃａｂ側から見た断面図である。(ｄ)金属球Ｓｃｂが金属球内蔵振動センサ第一金属線Ｓｃｅと接触した状態を示す第二金属球内蔵振動センサＳｂの断面図である。(ｅ)金属球Ｓｃｂが金属球内蔵振動センサ第一金属線Ｓｃｅと接触しなくなった状態を示す第二金属球内蔵振動センサＳｂの断面図である。
【図９】(ａ)第一金属球内蔵振動センサＳａを実施例１の電灯装置１に設置する状態を示した図である。(ｂ)第二金属球内蔵振動センサＳｂを実施例１の電灯装置１に設置する状態を示した図である。
【図１０】(ａ)第一金属球内蔵振動センサＳａと第二金属球内蔵振動センサＳｂを互いに箱体Ｓｃａの長軸方向が略直角になるようにして実施例１の電灯装置１に設置する状態を第一金属球内蔵振動センサＳａの箱体Ｓｃａの箱体第四側面Ｓｃａｄ側から見た図である。(ｂ)第一金属球内蔵振動センサＳａと第二金属球内蔵振動センサＳｂを互いに箱体Ｓｃａの長軸方向が略直角になるようにして実施例１の電灯装置１に設置する状態を第二金属球内蔵振動センサＳｂの箱体Ｓｃａの箱体第三側面Ｓｃａｃ側から見た図である。(ｃ)第一金属球内蔵振動センサＳａと第二金属球内蔵振動センサＳｂを互いに箱体Ｓｃａの長軸方向が略直角になるようにして実施例１の電灯装置１に設置する状態を第二金属球内蔵振動センサＳｂの箱体Ｓｃａの箱体第二側面Ｓｃａｂ側から見た図である。
【図１１】第一金属球内蔵振動センサＳａと第二金属球内蔵振動センサＳｂを並列に接続した状態の回路図である。
【図１２】(ａ)収納ケースＣＡを正面から見た図である。(ｂ)収納ケースＣＡをドアＤＯのドアノブＤＮに吊り下げた図である。(ｃ)(ｂ)のドアノブＤＮとドアノブＤＮの近傍の拡大図である。
【図１３】(ａ)ドアＤＯが開いた状態を示す図である。(ｂ)収納ケースＣＡをテープＴＡでドアＤＯに貼り付けた状態を示す図である。(ｃ)(ｂ)のドアノブＤＯとドアノブＤＯの近傍の拡大図である。
【図１４】実施例２の電灯装置１の回路図である。
【図１５】実施例２の電灯装置１と電池ＢＴを接続した状態を示す回路図である。
【図１６】実施例２の電灯装置１のマイコンＭＣがPIC16F628Aである際の回路図である。
【図１７】実施例２の電灯装置１のマイコンＭＣがPIC16F628Aである際にマイコンＭＣにインストールする第一発光ダイオードＤ１を点灯させて、第二発光ダイオードＤ２を点灯させたり、消灯させたりするためのプログラムである。
【図１８】実施例２の電灯装置１のマイコンＭＣがPIC16F628Aである際にマイコンＭＣにインストールする第一発光ダイオードＤ１と第二発光ダイオードＤ２に点灯と消灯を繰り返させるためのプログラムである。
【図１９】図１８のプログラムの続きである。
【図２０】(ａ)収納ケースＣＡを正面から見た図である。(ｂ)収納ケースＣＡをドアＤＯのドアノブＤＮに吊り下げた図である。(ｃ)ドアＤＯが開いた状態を示す図である。
【図２１】実施例３のブザー装置２の回路図である。
【図２２】実施例３のブザー装置２と電池ＢＴを接続した状態を示す回路図である。
【図２３】実施例３のブザー装置２のマイコンＭＣがPIC16F628Aである際の回路図である。
【図２４】実施例３のブザー装置２のマイコンＭＣがPIC16F628Aである際にマイコンＭＣにインストールするブザーＢを鳴らすためのプログラムである。
【図２５】実施例３のブザー装置２のマイコンＭＣがPIC16F628Aである際にマイコンＭＣにインストールするブザーＢに鳴ることと鳴ることを停止することを繰り返させるためのプログラムである。
【図２６】(ａ)収納ケースＣＡを正面から見た図である。(ｂ)収納ケースＣＡをドアＤＯのドアノブＤＮに吊り下げた図である。(ｃ)ドアＤＯが開いた状態を示す図である。
【図２７】実施例３のブザー装置２が、抵抗Ｒを備えている際の回路図である。
【図２８】実施例４の電灯装置、および、ブザー装置を備えた装置３の回路図である。
【図２９】実施例４の電灯装置、および、ブザー装置を備えた装置３と電池ＢＴを接続した状態を示す回路図である。
【図３０】実施例４の電灯装置、および、ブザー装置を備えた装置３のマイコンＭＣがPIC16F628Aである際の回路図である。
【図３１】実施例４の電灯装置、および、ブザー装置を備えた装置３のマイコンＭＣがPIC16F628Aである際にマイコンＭＣにインストールする発光ダイオードＤを点灯させて、ブザーＢを鳴らせるためのプログラムである。
【図３２】実施例４の電灯装置、および、ブザー装置を備えた装置３のマイコンＭＣがPIC16F628Aである際にマイコンＭＣにインストールする発光ダイオードＤに点灯と消灯を繰り返させて、ブザーＢに鳴ることと鳴ることを停止することを繰り返させるためのプログラムである。
【図３３】実施例４の電灯装置、および、ブザー装置を備えた装置３が、抵抗Ｒを備えている際の回路図である。
【図３４】(ａ)収納ケースＣＡを正面から見た図である。(ｂ)収納ケースＣＡをドアＤＯのドアノブＤＮに吊り下げた図である。(ｃ)ドアＤＯが開いた状態を示す図である。
【図３５】実施例５の電灯装置、および、ブザー装置を備えた装置３の回路図である。
【図３６】実施例５の電灯装置、および、ブザー装置を備えた装置３と電池ＢＴを接続した状態を示す回路図である。
【図３７】実施例５の電灯装置、および、ブザー装置を備えた装置３のマイコンＭＣがPIC16F628Aである際の回路図である。
【図３８】実施例５の電灯装置、および、ブザー装置を備えた装置３のマイコンＭＣがPIC16F628Aである際にマイコンＭＣにインストールする発光ダイオードＤを点灯させて、ブザーＢを鳴らせるためのプログラムである。
【図３９】実施例５の電灯装置、および、ブザー装置を備えた装置３のマイコンＭＣがPIC16F628Aである際にマイコンＭＣにインストールする発光ダイオードＤに点灯と消灯を繰り返させて、ブザーＢに鳴ることと鳴ることを停止することを繰り返させるためのプログラムである。
【図４０】図３９のプログラムの続きである。
【図４１】(ａ)収納ケースＣＡを正面から見た図である。(ｂ)収納ケースＣＡをドアＤＯのドアノブＤＮに吊り下げた図である。(ｃ)ドアＤＯが開いた状態を示す図である。
【符号の説明】
【０１７８】
１              電灯装置
２              ブザー装置
３              電灯装置、および、ブザー装置を備えた装置
Ｔ１            正極接続端子
Ｔ２            負極接続端子
ＭＣ            マイコン
Ｖｄｄ          正極接続端子接続用端子
Ｖｓｓ          負極接続端子接続用端子
ＭＣＴ１        振動センサ接続用端子
ＭＣＴ２        発光ダイオード接続用端子
ＭＣＴ２１      第一発光ダイオード接続用端子
ＭＣＴ２２      第二発光ダイオード接続用端子
ＭＣＴ３        バイポーラNPNトランジスタ接続用端子
Ｓ              振動センサー
Ｓ１            振動センサー第一端子
Ｓ２            振動センサー第二端子
Ｓａ            第一金属球内蔵振動センサ
Ｓｂ            第二金属球内蔵振動センサ
Ｓｃａ          箱体
Ｓｃａａ        箱体第一側面
Ｓｃａｂ        箱体第二側面
Ｓｃａｃ        箱体第三側面
Ｓｃａｄ        箱体第四側面
Ｓｃａｅ        箱体上面
Ｓｃａｆ        箱体下面
Ｓｃａｇ        箱体開口部
Ｓｃｂ          金属球
Ｓｃｃ          金属球内蔵振動センサ第一端子
Ｓｃｄ          金属球内蔵振動センサ第二端子
Ｓｃｅ          金属球内蔵振動センサ第一金属線
Ｓｃｆ          金属球内蔵振動センサ第二金属線
Ｄ              発光ダイオード
Ｄａ            発光ダイオードアノード端子
Ｄｋ            発光ダイオードカソード端子
Ｄ１            第一発光ダイオード
Ｄ１ａ          第一発光ダイオードアノード端子
Ｄ１ｋ          第一発光ダイオードカソード端子
Ｄ２            第二発光ダイオード
Ｄ２ａ          第二発光ダイオードアノード端子
Ｄ２ｋ          第二発光ダイオードカソード端子
Ｂ              ブザー
Ｂ１            ブザー第一端子
Ｂ２            ブザー第二端子
Ｃ              電解コンデンサ
Ｃ１            電解コンデンサ正極端子
Ｃ２            電解コンデンサ負極端子
Ｔｒ            バイポーラNPNトランジスタ
ＴｒＢ          ベース端子
ＴｒＣ          コレクタ端子
ＴｒＥ          エミッタ端子
Ｒ              抵抗
Ｒ１            抵抗第一端子
Ｒ２            抵抗第二端子
ＢＴ            電池
ＢＴ１          電池正極
ＢＴ２          電池負極
θ              角度        
【図１】
2014075291.tif 000003
【図２】
2014075291.tif 000004
【図３】
2014075291.tif 000005
【図４】
2014075291.tif 000006
【図５】
2014075291.tif 000007
【図６】
2014075291.tif 000008
【図７】
2014075291.tif 000009
【図８】
2014075291.tif 000010
【図９】
2014075291.tif 000011
【図１０】
2014075291.tif 000012
【図１１】
2014075291.tif 000013
【図１２】
2014075291.tif 000014
【図１３】
2014075291.tif 000015
【図１４】
2014075291.tif 000016
【図１５】
2014075291.tif 000017
【図１６】
2014075291.tif 000018
【図１７】
2014075291.tif 000019
【図１８】
2014075291.tif 000020
【図１９】
2014075291.tif 000021
【図２０】
2014075291.tif 000022
【図２１】
2014075291.tif 000023
【図２２】
2014075291.tif 000024
【図２３】
2014075291.tif 000025
【図２４】
2014075291.tif 000026
【図２５】
2014075291.tif 000027
【図２６】
2014075291.tif 000028
【図２７】
2014075291.tif 000029
【図２８】
2014075291.tif 000030
【図２９】
2014075291.tif 000031
【図３０】
2014075291.tif 000032
【図３１】
2014075291.tif 000033
【図３２】
2014075291.tif 000034
【図３３】
2014075291.tif 000035
【図３４】
2014075291.tif 000036
【図３５】
2014075291.tif 000037
【図３６】
2014075291.tif 000038
【図３７】
2014075291.tif 000039
【図３８】
2014075291.tif 000040
【図３９】
2014075291.tif 000041
【図４０】
2014075291.tif 000042
【図４１】
2014075291.tif 000043